(57)【要約】【課題】読影依頼元と読影受託先の双方の希望を反映させて、読影依頼を振り分ける振分先を決定することができる読影依頼振分装置、読影依頼振分装置の作動方法、および読影依頼振分プログラムを提供する。【解決手段】振分条件設定部５３は、読影依頼元１１毎に設定され、複数の読影受託先１２の中で読影依頼元１１が希望する読影受託先１２を表す希望受託先情報４７ａと、読影受託先１２毎に設定され、複数の読影依頼元１１の中で読影受託先１２が希望する読影依頼元１１を表す希望依頼元情報４７ｂとを含む振分条件を設定する。検索部５２は、希望受託先情報４７ａにおいて指定された読影受託先１２で、かつ希望依頼元情報４７ｂにおいて読影依頼元１１を指定している読影受託先１２を、読影依頼１５の振分先の候補として検索する。振分部５２は、検索部５１が検索した候補の中から振分先を決定し、決定した振分先に読影依頼１５を振り分ける。【選択図】図１０
2016071713.tif 000002
【特許請求の範囲】
【請求項１】
医療検査で得た医用画像の読影を依頼する複数の読影依頼元からの読影依頼を受け付ける読影依頼受付部と、
前記読影依頼受付部が受け付けた前記読影依頼を、前記読影の受託先である読影受託先に振り分けるための振分条件を設定する振分条件設定部と、
前記振分条件設定部が設定した前記振分条件に基づいて、複数の前記読影受託先の中から、前記読影依頼を振り分ける振分先の候補を検索する検索部と、
前記検索部が検索した前記候補の中から前記振分先を決定し、決定した前記振分先に前記読影依頼を振り分ける振分部とを備え、
前記振分条件は、前記読影依頼元毎に設定され、複数の前記読影受託先の中で前記読影依頼元が希望する前記読影受託先を表す希望受託先情報と、
前記読影受託先毎に設定され、複数の前記読影依頼元の中で前記読影受託先が希望する前記読影依頼元を表す希望依頼元情報とを含むことを特徴とする読影依頼振分装置。
【請求項２】
前記検索部は、受け付けた前記読影依頼の振分先について、前記読影依頼元の前記希望受託先情報において指定された前記読影受託先であって、かつ、前記希望依頼元情報において前記読影依頼元を指定している前記読影受託先を検索することを特徴とする請求項１に記載の読影依頼振分装置。
【請求項３】
前記希望受託先情報および前記希望依頼元情報は、前記医用画像の撮影部位および前記医療検査の種類毎に設定されていることを特徴とする請求項１または２に記載の読影依頼振分装置。
【請求項４】
前記振分条件設定部で設定済みの前記振分条件と、新規に追加される前記振分条件とが相反する内容であるか否かを判定する判定部と、
前記判定部で相反する内容であると判定した場合に、相反する内容である旨の警告通知を出力する警告通知出力部とを備えることを特徴とする請求項１ないし３のいずれか１項に記載の読影依頼振分装置。
【請求項５】
前記判定部は、設定済みの前記希望受託先情報または前記希望依頼元情報と、新規に追加される前記希望受託先情報または前記希望依頼元情報とが相反する内容であるか否かを判定することを特徴とする請求項４に記載の読影依頼振分装置。
【請求項６】
前記振分条件は、前記読影受託先毎に設定され、前記読影受託先が読影可能な時間帯、およびその時間帯で前記読影受託先が処理可能な前記読影依頼のキャパシティを示す許容量の組み合わせを含むことを特徴とする請求項４または５に記載の読影依頼振分装置。
【請求項７】
前記許容量は、読影可能な前記医療検査の件数、または読影可能な前記医用画像の枚数のうちの少なくとも１つであることを特徴とする請求項６に記載の読影依頼振分装置。
【請求項８】
前記判定部は、設定済みの前記時間帯および前記許容量の組み合わせと、新規に追加される前記時間帯および前記許容量の組み合わせとが相反する内容であるか否かを判定することを特徴とする請求項６または７に記載の読影依頼振分装置。
【請求項９】
前記振分条件は、前記読影受託先毎に設定され、前記読影受託先が処理可能な読影のキャパシティを示す許容量に対する、前記読影受託先に実際に振り分けられた前記読影依頼の量の割合である充足率を含むことを特徴とする請求項１ないし８のいずれか１項に記載の読影依頼振分装置。
【請求項１０】
前記振分部は、前記充足率以外の振分条件に基づき前記検索部が検索した前記候補が複数ある場合、前記充足率が最も低い前記読影受託先を前記振分先に決定することを特徴とする請求項９に記載の読影依頼振分装置。
【請求項１１】
前記振分条件は、前記読影依頼元毎に設定され、前記読影受託先に対する前記読影依頼の振分の優先順位を含むことを特徴とする請求項１ないし１０のいずれか１項に記載の読影依頼振分装置。
【請求項１２】
前記振分部は、前記優先順位以外の前記振分条件に基づき前記検索部が検索した前記候補が複数ある場合、前記優先順位が最も高い前記読影受託先を前記振分先に決定することを特徴とする請求項１１に記載の読影依頼振分装置。
【請求項１３】
前記検索部が検索した前記候補が複数ある場合に、前記読影依頼をした前記読影依頼元に対して、複数の前記候補の中から前記振分先を選択させるための選択通知を出力する選択通知出力部を備えることを特徴とする請求項１ないし１２のいずれか１項に記載の読影依頼振分装置。
【請求項１４】
前記検索部が前記候補を検索して前記振分部が前記振分先を決定するか、前記振分先を手動で決定するかの自動／手動振分の切替指示に応じて、自動／手動振分の切替を行う自動／手動振分切替部を備えることを特徴とする請求項１ないし１３のいずれか１項に記載の読影依頼振分装置。
【請求項１５】
前記振分部が自動的に決定した前記振分先に対する手動による変更指示を受け付け、前記振分部が自動的に決定した前記振分先を、変更指示に応じた振分先に変更する振分先変更部を備えることを特徴とする請求項１ないし１４のいずれか１項に記載の読影依頼振分装置。
【請求項１６】
前記読影依頼に応じて前記読影受託先で作成された読影レポートの、前記読影受託先から前記読影依頼元への転送を処理する転送処理部を備えることを特徴とする請求項１ないし１５のいずれか１項に記載の読影依頼振分装置。
【請求項１７】
読影依頼受付部により、医療検査で得た医用画像の読影を依頼する複数の読影依頼元からの読影依頼を受け付ける読影依頼受付ステップと、
振分条件設定部により、前記読影依頼受付ステップで受け付けた前記読影依頼を、前記読影の受託先である読影受託先に振り分けるための振分条件を設定する振分条件設定ステップと、
検索部により、前記振分条件設定ステップで設定した前記振分条件に基づいて、複数の前記読影受託先の中から、前記読影依頼を振り分ける振分先の候補を検索する検索ステップと、
振分部により、前記検索ステップで検索した前記候補の中から前記振分先を決定し、決定した前記振分先に前記読影依頼を振り分ける振分ステップとを備え、
前記振分条件は、前記読影依頼元毎に設定され、複数の前記読影受託先の中で前記読影依頼元が希望する前記読影受託先を表す希望受託先情報と、
前記読影受託先毎に設定され、複数の前記読影依頼元の中で前記読影受託先が希望する前記読影依頼元を表す希望依頼元情報とを含むことを特徴とする読影依頼振分装置の作動方法。
【請求項１８】
医療検査で得た医用画像の読影を依頼する複数の読影依頼元からの読影依頼を受け付ける読影依頼受付機能と、
前記読影依頼受付機能で受け付けた前記読影依頼を、前記読影の受託先である読影受託先に振り分けるための振分条件を設定する振分条件設定機能と、
前記振分条件設定機能で設定した前記振分条件に基づいて、複数の前記読影受託先の中から、前記読影依頼を振り分ける振分先の候補を検索する検索機能と、
前記検索機能で検索した前記候補の中から前記振分先を決定し、決定した前記振分先に前記読影依頼を振り分ける振分機能とを、コンピュータに実行させ、
前記振分条件は、前記読影依頼元毎に設定され、複数の前記読影受託先の中で前記読影依頼元が希望する前記読影受託先を表す希望受託先情報と、
前記読影受託先毎に設定され、複数の前記読影依頼元の中で前記読影受託先が希望する前記読影依頼元を表す希望依頼元情報とを含むことを特徴とする読影依頼振分プログラム。
【発明の詳細な説明】
【技術分野】
【０００１】
本発明は、読影依頼振分装置、読影依頼振分装置の作動方法、および読影依頼振分プログラムに関する。
【背景技術】
【０００２】
ＣＴ（Computed tomography）装置やＭＲＩ（Magnetic Resonance Imaging）装置等のモダリティを用いた医療検査で得た医用画像に基づく画像診断が行われている。こうした画像診断においては、読影医と呼ばれる専門医によって医用画像の読影が行われる。読影医は、診断および治療を担う主治医からの読影依頼に応じて読影を行い、その結果を記した読影レポートを作成する。読影レポートは主治医に提供される。主治医は、提供された読影レポートに基づいて、患者に適切な診断および治療を行う。
【０００３】
読影医がいない、または読影医の人数が不足している、あるいは読影医はいるがその読影医の専門分野が限られている医療施設では、適切な読影医が所属する他の医療施設に読影を依頼している。特許文献１には、この医療施設間の読影依頼の遣り取りを、コンピュータにより自動化した技術が記載されている。以下、読影依頼をする医療施設または主治医を読影依頼元、読影依頼を受託する医療施設または読影医を読影受託先と表記する。
【０００４】
特許文献１には、読影受託先が読影可能な時間帯、読影可能な医用画像の枚数といったスケジュール情報や、読影受託先の専門分野に関する情報、過去の読影とその読影を担当した読影受託先を特定可能な読影履歴情報、読影受託先の所在地に関する情報、読影受託先の評価情報等の各種振分条件に基づき、複数の読影受託先の中から、読影依頼を振り分ける振分先を決定する読影依頼振分装置が記載されている。特許文献１の読影依頼振分装置は、複数の読影依頼元および複数の読影受託先とネットワークで接続されたデータセンターに設けられており、ネットワークを介して読影依頼元と読影受託先との間の読影依頼の遣り取りを仲介している。
【０００５】
特許文献１には、振分条件として、複数の読影受託先の中で読影依頼元が読影を希望する読影受託先を設定した希望受託先情報も記載されている。この希望受託先情報に基づき読影依頼を振り分ける振分先を決定すれば、読影依頼元が希望する、過去の読影で好評であった読影医や、高名な読影医に読影を依頼することができる。
【先行技術文献】
【特許文献】
【０００６】
【特許文献１】特開２００２−３２９１９０号公報
【発明の概要】
【発明が解決しようとする課題】
【０００７】
特許文献１では、希望受託先情報によって、読影依頼元が希望する読影受託先に読影依頼を振り分けることができる。しかしながら、読影受託先の希望は読影依頼の振り分けには反映されない。
【０００８】
医療施設には附属する大学や医師会といった系列関係があり、同じ系列の医療施設では普段から医師間の交流や業務提携が行われている。読影依頼についても、読影受託先では読影依頼を受託する読影依頼元はだいたい決まっている。こうした現状において、特許文献１のように、読影依頼の振り分けに読影受託先の希望が反映されないと、系列関係にない読影依頼元や業務提携の実績がない読影依頼元等、思いもしない読影依頼元からの読影依頼が読影受託先に舞い込み、読影受託先の業務に支障を来すおそれがあった。
【０００９】
本発明は、上記課題に鑑みてなされたもので、読影依頼元と読影受託先の双方の希望を反映させて、読影依頼を振り分ける振分先を決定することができる読影依頼振分装置、読影依頼振分装置の作動方法、および読影依頼振分プログラムを提供することを目的とする。
【課題を解決するための手段】
【００１０】
上記目的を達成するために、本発明の読影依頼振分装置は、医療検査で得た医用画像の読影を依頼する複数の読影依頼元からの読影依頼を受け付ける読影依頼受付部と、読影依頼受付部が受け付けた読影依頼を、読影の受託先である読影受託先に振り分けるための振分条件を設定する振分条件設定部と、振分条件設定部が設定した振分条件に基づいて、複数の読影受託先の中から、読影依頼を振り分ける振分先の候補を検索する検索部と、検索部が検索した候補の中から振分先を決定し、決定した振分先に読影依頼を振り分ける振分部とを備え、振分条件は、読影依頼元毎に設定され、複数の読影受託先の中で読影依頼元が希望する読影受託先を表す希望受託先情報と、読影受託先毎に設定され、複数の読影依頼元の中で読影受託先が希望する読影依頼元を表す希望依頼元情報とを含む。
【００１１】
検索部は、受け付けた読影依頼の振分先について、読影依頼元の希望受託先情報において指定された読影受託先であって、かつ、希望依頼元情報において読影依頼元を指定している読影受託先を検索することが好ましい。
【００１２】
希望受託先情報および希望依頼元情報は、例えば、医用画像の撮影部位および医療検査の種類毎に設定されている。
【００１３】
振分条件設定部で設定済みの振分条件と、新規に追加される振分条件とが相反する内容であるか否かを判定する判定部と、判定部で相反する内容であると判定した場合に、相反する内容である旨の警告通知を出力する警告通知出力部とを備えることが好ましい。
【００１４】
判定部は、例えば、設定済みの希望受託先情報または希望依頼元情報と、新規に追加される希望受託先情報または希望依頼元情報とが相反する内容であるか否かを判定する。
【００１５】
振分条件は、読影受託先毎に設定され、読影受託先が読影可能な時間帯、およびその時間帯で読影受託先が処理可能な読影依頼のキャパシティを示す許容量の組み合わせを含んでいてもよい。許容量は、具体的には、読影可能な医療検査の件数、または読影可能な医用画像の枚数のうちの少なくとも１つである。
【００１６】
判定部は、例えば、設定済みの時間帯および許容量の組み合わせと、新規に追加される時間帯および許容量の組み合わせとが相反する内容であるか否かを判定する。
【００１７】
振分条件は、読影受託先毎に設定され、読影受託先が処理可能な読影のキャパシティを示す許容量に対する、読影受託先に実際に振り分けられた読影依頼の量の割合である充足率を含んでいてもよい。振分部は、充足率以外の振分条件に基づき検索部が検索した候補が複数ある場合、充足率が最も低い読影受託先を振分先に決定することが好ましい。
【００１８】
振分条件は、読影依頼元毎に設定され、読影受託先に対する読影依頼の振分の優先順位を含んでいてもよい。振分部は、優先順位以外の振分条件に基づき検索部が検索した候補が複数ある場合、優先順位が最も高い読影受託先を振分先に決定することが好ましい。
【００１９】
また、検索部が検索した候補が複数ある場合に、読影依頼をした読影依頼元に対して、複数の候補の中から振分先を選択させるための選択通知を出力する選択通知出力部を備えることが好ましい。
【００２０】
検索部が候補を検索して振分部が振分先を決定するか、振分先を手動で決定するかの自動／手動振分の切替指示に応じて、自動／手動振分の切替を行う自動／手動振分切替部を備えることが好ましい。
【００２１】
また、振分部が自動的に決定した振分先に対する手動による変更指示を受け付け、振分部が自動的に決定した振分先を、変更指示に応じた振分先に変更する振分先変更部を備えることが好ましい。
【００２２】
読影依頼に応じて読影受託先で作成された読影レポートの、読影受託先から読影依頼元への転送を処理する転送処理部を備えることが好ましい。
【００２３】
また、本発明の読影依頼振分装置の作動方法は、読影依頼受付部により、医療検査で得た医用画像の読影を依頼する複数の読影依頼元からの読影依頼を受け付ける読影依頼受付ステップと、振分条件設定部により、読影依頼受付ステップで受け付けた読影依頼を、読影の受託先である読影受託先に振り分けるための振分条件を設定する振分条件設定ステップと、検索部により、振分条件設定ステップで設定した振分条件に基づいて、複数の読影受託先の中から、読影依頼を振り分ける振分先の候補を検索する検索ステップと、振分部により、検索ステップで検索した候補の中から振分先を決定し、決定した振分先に読影依頼を振り分ける振分ステップとを備え、振分条件は、読影依頼元毎に設定され、複数の読影受託先の中で読影依頼元が希望する読影受託先を表す希望受託先情報と、読影受託先毎に設定され、複数の読影依頼元の中で読影受託先が希望する読影依頼元を表す希望依頼元情報とを含む。
【００２４】
さらに、本発明の読影依頼振分プログラムは、医療検査で得た医用画像の読影を依頼する複数の読影依頼元からの読影依頼を受け付ける読影依頼受付機能と、読影依頼受付機能で受け付けた読影依頼を、読影の受託先である読影受託先に振り分けるための振分条件を設定する振分条件設定機能と、振分条件設定機能で設定した振分条件に基づいて、複数の読影受託先の中から、読影依頼を振り分ける振分先の候補を検索する検索機能と、検索機能で検索した候補の中から振分先を決定し、決定した振分先に読影依頼を振り分ける振分機能とを、コンピュータに実行させ、振分条件は、読影依頼元毎に設定され、複数の読影受託先の中で読影依頼元が希望する読影受託先を表す希望受託先情報と、読影受託先毎に設定され、複数の読影依頼元の中で読影受託先が希望する読影依頼元を表す希望依頼元情報とを含む。
【発明の効果】
【００２５】
本発明によれば、読影依頼元毎に設定され、複数の読影受託先の中で読影依頼元が希望する読影受託先を表す希望受託先情報と、読影受託先毎に設定され、複数の読影依頼元の中で読影受託先が希望する読影依頼元を表す希望依頼元情報とを含む振分条件に基づいて、複数の読影受託先の中から、読影依頼を振り分ける振分先の候補を検索し、候補の中から振分先を決定するので、読影依頼元と読影受託先の双方の希望を反映させて、読影依頼を振り分ける振分先を決定することができる読影依頼振分装置、読影依頼振分装置の作動方法、および読影依頼振分プログラムを提供することができる。
【図面の簡単な説明】
【００２６】
【図１】医療情報ネットワークシステムを示す図である。
【図２】読影依頼の内容を示す図である。
【図３】センターサーバを構成するコンピュータを示すブロック図である。
【図４】センターサーバのストレージデバイスに構築される各種データベースを示す図である。
【図５】依頼レコードリストの内容を示す図である。
【図６】施設情報の内容を示す図である。
【図７】希望受託先情報の内容を示す図である。
【図８】希望依頼元情報の内容を示す図である。
【図９】優先順位情報の内容を示す図である。
【図１０】センターサーバのＣＰＵの機能を示すブロック図である。
【図１１】希望受託先情報の希望設定をする場合の希望設定ウィンドウを示す図である。
【図１２】希望依頼元情報の希望設定をする場合の希望設定ウィンドウを示す図である。
【図１３】優先順位設定ウィンドウを示す図である。
【図１４】希望受託先情報または希望依頼元情報の設定の手順を示すフローチャートである。
【図１５】読影依頼を振り分ける手順を示すフローチャートである。
【図１６】読影レポートを格納する手順を示すフローチャートである。
【図１７】読影レポートを出力する手順を示すフローチャートである。
【図１８】第２実施形態のセンターサーバのＣＰＵの機能を示すブロック図である。
【図１９】警告通知ウィンドウを示す図である。
【図２０】第３実施形態のセンターサーバのストレージデバイスに構築される各種データベースを示す図である。
【図２１】時間帯・件数・枚数情報の内容を示す図である。
【図２２】第３実施形態のセンターサーバのＣＰＵの機能を示すブロック図である。
【図２３】時間帯・件数・枚数設定ウィンドウを示す図である。
【図２４】第４実施形態のセンターサーバのＣＰＵの機能を示すブロック図である。
【図２５】第５実施形態のセンターサーバのストレージデバイスに構築される各種データベースを示す図である。
【図２６】充足率情報の内容を示す図である。
【図２７】第５実施形態のセンターサーバのＣＰＵの機能を示すブロック図である。
【図２８】第６実施形態のセンターサーバのＣＰＵの機能を示すブロック図である。
【図２９】選択通知ウィンドウを示す図である。
【図３０】第７実施形態のセンターサーバのＣＰＵの機能を示すブロック図である。
【図３１】自動／手動振分切替ウィンドウを示す図である。
【図３２】手動振分ウィンドウを示す図である。
【図３３】自動／手動振分個別設定ウィンドウを示す図である。
【図３４】第８実施形態のセンターサーバのＣＰＵの機能を示すブロック図である。
【図３５】振分結果表示／変更ウィンドウを示す図である。
【図３６】変更ボタンを選択した場合の振分結果表示／変更ウィンドウを示す図である。
【図３７】読影受託先を読影医とした場合の振分結果表示／変更ウィンドウを示す図である。
【発明を実施するための形態】
【００２７】
[第１実施形態]
図１において、医療情報ネットワークシステム２は、データセンター１０と複数の読影依頼元１１と複数の読影受託先１２とからなる。データセンター１０と読影依頼元１１と読影受託先１２は、ＩＰ（Internet Protocol）ネットワーク１３を介して相互接続されている。データセンター１０は、読影依頼元１１と読影受託先１２の間の医用画像のデータファイル（以下、画像ファイルという）１４、医用画像の読影依頼１５（図２も参照）、および読影レポート１６の仲介サービスといったアプリケーションサービスを提供する。
【００２８】
ＩＰネットワーク１３は、ベースネットワークとして通信事業者が保有する専用の広域ＩＰ網を使用しており、この広域ＩＰ網上にＶＰＮ（Virtual Private Network）を構築した閉域のネットワークである。ＶＰＮにより、ＩＰネットワーク１３内を行き交う各種医療情報が医療情報ネットワークシステム２の外部に漏洩することはなく、医療情報のセキュリティが確保される。
【００２９】
読影依頼元１１は、読影医がいない、または読影医の人数が不足している、あるいは読影医はいるがその読影医の専門分野が限られている医療施設であり、データセンター１０の仲介で読影受託先１２に医用画像の読影依頼１５を行う。読影受託先１２は、読影を専門業務とする読影センター等の医療施設であり、データセンター１０の仲介で読影依頼元１１からの読影依頼１５を受託する。
【００３０】
読影依頼元１１には、モダリティ１７および依頼元端末１８が設置されている。モダリティ１７および依頼元端末１８は、読影依頼元１１内に敷設されたＬＡＮ（Local Area Network）により相互接続されている。モダリティ１７は、ＣＴ装置、ＭＲＩ装置等の医用画像の撮影装置である。依頼元端末１８は、データセンター１０に読影依頼１５を送信する際等に操作される。
【００３１】
モダリティ１７で医用画像の撮影を行う場合には、患者名や個々の患者を識別するための番号である患者ＩＤ（Identification data）といった情報が入力される。入力された情報は、画像ファイル１４内に付帯情報として格納される。画像ファイル１４は、例えばＤＩＣＯＭ（Digital Imaging and Communications in Medicine）規格で保存される。
【００３２】
ＤＩＣＯＭ規格の画像ファイル１４には、医用画像本体のデータを格納する領域の他に、付帯情報を格納する領域が設けられている。付帯情報には、上記の患者名、患者ＩＤに加えて、患者の性別、年齢等の患者情報や、検査ＩＤ、検査日時、検査目的、撮影部位、医療検査の種類（モダリティ１７の種類、以下、検査種という）等の検査情報、並びに撮影を行った読影依頼元１１を識別するための番号である依頼元ＩＤといった情報が含まれる。
【００３３】
読影受託先１２には、受託先端末１９およびレポート作成端末２０が設置されている。各端末１９、２０は、読影受託先１２内に敷設されたＬＡＮにより相互接続されている。受託先端末１９は、データセンター１０から送信される読影依頼元１１からの読影依頼１５を受信する。受託先端末１９は、受信した読影依頼１５に適当な管理ＩＤを付与して、読影依頼１５のデータを管理する。
【００３４】
レポート作成端末２０は、読影医が読影依頼１５の内容を確認したり、読影依頼１５に基づいて読影レポート１６を作成したりする際に操作される。レポート作成端末２０は、医用画像の表示画面や読影レポート１６の編集画面を表示して、読影レポート１６の作成を支援する。レポート作成端末２０は、個々の読影レポート１６を識別するためのレポートＩＤを付し、読影レポート１６をデータセンター１０に送信する。
【００３５】
データセンター１０は、センターサーバ２０を有する。センターサーバ２０は本発明の読影依頼振分装置に相当し、画像ファイル１４、読影依頼１５、および読影レポート１６の送受信仲介サービスといったデータセンター１０のアプリケーションサービスを遂行する。より具体的には、センターサーバ２０は、読影依頼元１１の依頼元端末１８から読影依頼１５を受信し、複数の読影受託先１２の中から、読影依頼１５を振り分ける振分先を決定する。そして、決定した読影受託先１２の受託先端末１９に読影依頼１５を送信する。また、センターサーバ２０は、読影依頼元１１のモダリティ１７から画像ファイル１４を受信し、読影依頼１５を振り分けた読影受託先１２のレポート作成端末２０に、読影依頼１５で読影対象に指定された画像ファイル１４を送信する。さらに、センターサーバ２０は、読影レポート１６をレポート作成端末２０から受信し、受信した読影レポート１６を、読影依頼１５をした読影依頼元１１の依頼元端末１８に送信する。
【００３６】
図２において、読影依頼１５は、依頼元ＩＤ、読影依頼１５をした主治医を識別するための番号である主治医ＩＤ、送信日時、および読影対象の医用画像の画像ファイル１４を識別するための番号である画像ＩＤ等の項目を有する。依頼元ＩＤおよび主治医ＩＤは、読影依頼元１１がアプリケーションサービスの利用契約をしたとき等に、センターサーバ２０により自動的に付される。また、画像ＩＤは、画像ファイル１４の作成時にモダリティ１７により自動的に付される。図２では、便宜上画像ＩＤの項目には１つの画像ファイル１４の画像ＩＤのみが記されているが、実際には１つの読影依頼１５で複数枚分の画像ファイル１４が指定される。なお、読影依頼１５の項目として、読影レポート１６の希望納期や緊急度、患者が現在罹患している疾患名、主治医から読影医への申し送り事項等を追加してもよい。
【００３７】
図３において、センターサーバ２０を構成するコンピュータは、ストレージデバイス３０、メモリ３１、ＣＰＵ（Central Processing Unit）３２、通信部３３、ディスプレイ３４、および入力デバイス３５を備えている。これらはデータバス３６を介して相互接続されている。
【００３８】
ストレージデバイス３０は、センターサーバ２０を構成するコンピュータに内蔵、またはケーブルやネットワークを通じて接続されたハードディスクドライブ、もしくはハードディスクドライブを複数台連装したディスクアレイである。ストレージデバイス３０には、オペレーティングシステム等の制御プログラムや、読影依頼振分プログラム３７を含む各種アプリケーションプログラム、およびこれらのプログラムに付随する各種操作画面の表示データ等が記憶されている。読影依頼振分プログラム３７は、センターサーバ２０を構成するコンピュータを、読影依頼振分装置として機能させるためのプログラムである。
【００３９】
メモリ３１は、ＣＰＵ３２が処理を実行するためのワークメモリである。ＣＰＵ３２は、ストレージデバイス３０に記憶されたプログラムをメモリ３１へロードして、プログラムにしたがった処理を実行することにより、コンピュータの各部を統括的に制御する。
【００４０】
通信部３３は、ＩＰネットワーク１３を介したモダリティ１７および各端末１８〜２０との各種医療情報の伝送を行うネットワークインターフェースである。通信部３３は、モダリティ１７から画像ファイル１４を、依頼元端末１８から読影依頼１５を、レポート作成端末２０から読影レポート１６をそれぞれ受信し、かつレポート作成端末２０に画像ファイル１４を、受託先端末１９に読影依頼１５を、依頼元端末１８に読影レポート１６をそれぞれ送信する。
【００４１】
ディスプレイ３４は、マウスやキーボード等の入力デバイス３５の操作に応じた各種操作画面を表示する。操作画面にはＧＵＩ(Graphical User Interface)が配される。センターサーバ２０はこのＧＵＩを通じて入力デバイス３５からの操作指示の入力を受け付ける。
【００４２】
図４において、ストレージデバイス３０には、画像データベース（以下、ＤＢ（Data Base）と略す）４０、レポートＤＢ４１、依頼レコードＤＢ４２、施設情報ＤＢ４３、および振分条件ＤＢ４４等の各種ＤＢが構築されている。画像ＤＢ４０は、モダリティ１７によって撮影されてモダリティ１７から送信された画像ファイル１４を格納する。画像ＤＢ４０は、読影依頼元１１毎に画像ファイル１４を管理する。レポートＤＢ４１は、レポート作成端末２０によって作成されてレポート作成端末２０から送信された読影レポート１６を格納する。レポートＤＢ４１は、読影受託先１２毎に読影レポート１６を管理する。画像ファイル１４や読影レポート１６は、画像ＩＤやレポートＩＤ等の検索キーで検索が可能である。
【００４３】
依頼レコードＤＢ４２には、依頼レコードリスト４５が格納されている。図５において、依頼レコードリスト４５は、依頼元端末１８から送信された読影依頼１５毎に、個々の読影依頼１５を識別するための管理ＩＤを受信順に付して記録したものである。依頼レコードリスト４５には、依頼元ＩＤや画像ＩＤ等の読影依頼１５の各項目の他、振分ステータス、受託先ＩＤ、送信日時、読影ステータス、レポートＩＤ、および受信日時の各項目が設けられている。
【００４４】
振分ステータスは、読影依頼１５の読影受託先１２への振分が完了したか否かを示すものであり、振分が完了している場合は「完了」、振分が未了の場合は「未了」と記される。受託先ＩＤは、個々の読影受託先１２を識別するための番号であり、読影受託先１２がアプリケーションサービスの利用契約をしたとき等に、センターサーバ２０により自動的に付される。受託先ＩＤの項目には、読影依頼１５を振り分けた読影受託先１２の受託先ＩＤが記される。送信日時の項目には、読影依頼１５を読影受託先１２に送信した日時が記される。振分ステータスが「未了」の読影依頼１５には、当然ながら受託先ＩＤおよび送信日時は記されない。
【００４５】
読影ステータスは、読影依頼１５に対応する読影レポート１６の作成が完了したか否かを示すものであり、読影レポート１６の作成（レポート作成端末２０からの読影レポート１６の受信）が完了している場合は「完了」、未了の場合は「未了」と記される。レポートＩＤの項目には、読影依頼１５に対応する読影レポート１６のレポートＩＤが記される。受信日時の項目には、レポート作成端末２０から読影レポート１６を受信した日時が記される。読影ステータスが「未了」の読影依頼１５には、当然ながらレポートＩＤおよび受信日時は記されない。
【００４６】
施設情報ＤＢ４３には、読影依頼元１１および読影受託先１２の各種情報が登録された施設情報４６が格納されている。図６において、施設情報４６には、依頼元ＩＤまたは受託先ＩＤの項目を筆頭に、依頼元ＩＤに対応する読影依頼元１１の名称または受託先ＩＤに対応する読影受託先１２の名称、所在地、電話番号等の基本情報や、所属する主治医または読影医のＩＤおよび氏名等の医師情報、並びにＩＰアドレスの項目が設けられている。
【００４７】
ＩＰアドレスの項目には、読影依頼元１１であれば画像ファイル１４の送信元であるモダリティ１７のＩＰアドレス、および読影依頼１５の送信元で読影レポート１６の送信先である依頼元端末１８のＩＰアドレス、読影受託先１２であれば読影依頼１５の送信先である受託先端末１９のＩＰアドレス、および画像ファイル１４の送信先で読影レポート１６の送信元であるレポート作成端末２０のＩＰアドレスが記される。センターサーバ２０は、これらのＩＰアドレスを元に、画像ファイル１４、読影依頼１５、および読影レポート１６の送信元と送信先を特定する。
【００４８】
施設情報４６の各項目は、読影依頼元１１および読影受託先１２がアプリケーションサービスの利用契約をしたとき等に、読影依頼元１１および読影受託先１２の管理担当者が依頼元端末１８および受託先端末１９を介して入力することで登録される。あるいは、各項目を埋めるアンケートを、利用契約時に読影依頼元１１および読影受託先１２から、ＩＰネットワーク１３を介した電子データ、郵送書類、電話による口頭連絡等を通じて提出させ、データセンター１０の管理担当者がセンターサーバ２０に入力することで登録する。
【００４９】
なお、本実施形態では読影依頼元１１の医療施設Ａ、Ｂ、Ｃ、・・・と、読影受託先１２の読影センターＡ、Ｂ、Ｃ、・・・が明確に分けられているが、１つの医療施設が読影依頼元１１と読影受託先１２を兼ねていてもよい。
【００５０】
振分条件ＤＢ４４には、振分条件として、希望受託先情報４７ａと希望依頼元情報４７ｂと優先順位情報４８とが格納されている。希望受託先情報４７ａは、読影依頼元１１毎に設定され、複数の読影受託先１２の中で読影依頼元１１が希望する読影受託先１２を表すものである。希望依頼元情報４７ｂは、読影受託先１２毎に設定され、複数の読影依頼元１１の中で読影受託先１２が希望する読影依頼元１１を表すものである。
【００５１】
より詳しくは図７に示すように、希望受託先情報４７ａは、依頼元ＩＤの項目を筆頭に、受託先ＩＤ、撮影部位、検査種、および希望設定の項目を有する。希望設定は、依頼元ＩＤ毎に、各受託先ＩＤ、各撮影部位、各検査種に対して設定されている。撮影部位の項目には各受託先ＩＤに対して胸部、腹部等が記される。検査種の項目には各撮影部位に対してＣＴ、ＭＲＩ、単純Ｘ線、超音波等が記される。
【００５２】
希望受託先情報４７ａの希望設定は、読影依頼元１１が、各撮影部位および各検査種の医用画像の読影依頼１５を、その読影受託先１２に対して希望するか否かを示すものであり、希望する場合は「ＯＫ」、忌避する場合は「ＮＧ」が記される。例えば依頼元ＩＤ「Ｈ０００１」の場合、受託先ＩＤ「Ｈ００５０」、撮影部位「胸部」の希望設定は、検査種「ＭＲＩ」が「ＮＧ」で、「ＣＴ」、「単純Ｘ線」、「超音波」等は「ＯＫ」が設定されている。
【００５３】
また、図８に示すように、希望依頼元情報４７ｂは、受託先ＩＤの項目を筆頭に、依頼元ＩＤ、撮影部位、検査種、および希望設定の項目を有する。希望設定は、受託先ＩＤ毎に、各依頼元ＩＤ、各撮影部位、各検査種に対して設定されている。撮影部位および検査種の項目には希望受託先情報４７ａと同様の内容が記される。
【００５４】
希望依頼元情報４７ｂの希望設定は、読影受託先１２が、その読影依頼元１１の各撮影部位および各検査種の医用画像の読影依頼１５を受託するか否かを示すものであり、希望受託先情報４７ａと同様、受託する場合は「ＯＫ」、忌避する場合は「ＮＧ」が記される。例えば受託先ＩＤ「Ｈ００５０」の場合、依頼元ＩＤ「Ｈ０００１」、撮影部位「胸部」の希望設定は、検査種「ＭＲＩ」、「超音波」が「ＮＧ」で、「ＣＴ」、「単純Ｘ線」等は「ＯＫ」が設定されている。
【００５５】
希望受託先情報４７ａの希望設定と、希望依頼元情報４７ｂの希望設定は、矛盾する内容となっていてもよい。矛盾する内容とは、希望受託先情報４７ａで当該読影依頼元１１が読影を希望すると設定された読影受託先１２の希望依頼元情報４７ｂにおいて、当該読影依頼元１１の読影依頼１５を受託しない設定とされていた場合、および希望受託先情報４７ｂで当該読影依頼元１１が読影を希望しないと設定された読影受託先１２の希望依頼元情報４７ｂにおいて、当該読影依頼元１１の読影依頼１５を受託する設定とされていた場合である。本実施形態では、希望受託先情報４７ａの依頼元ＩＤ「Ｈ０００１」の、受託先ＩＤ「Ｈ００５０」、撮影部位「胸部」、検査種「超音波」の希望設定は「ＯＫ」が設定されているが、希望依頼元情報４７ｂの受託先ＩＤ「Ｈ００５０」の、依頼元ＩＤ「Ｈ０００１」、撮影部位「胸部」、検査種「超音波」の希望設定は「ＮＧ」が設定されていて矛盾する内容となっている。
【００５６】
また、図９において、優先順位情報４８は、依頼元ＩＤ毎に、受託先ＩＤとその優先順位を記録したものである。優先順位は、データセンター１０の管理担当者が決定する。
【００５７】
図１０において、ＣＰＵ３２は、読影依頼振分プログラム３７を起動すると、メモリ３１と協働して、読影依頼受付部５０、検索部５１、振分部５２、振分条件設定部５３、および転送処理部５４として機能する。
【００５８】
読影依頼受付部５０は、依頼元端末１８から送信されて通信部３３で受信した読影依頼１５を受け付ける読影依頼受付機能を担う。読影依頼受付部５０は、受け付けた読影依頼１５に管理ＩＤを付して依頼レコードリスト４５に格納する。
【００５９】
検索部５１は、依頼レコードリスト４５から所定の時間間隔（例えば５分間隔）で振分ステータスが「未了」の読影依頼１５を読み出す。検索部５１は、複数の読影受託先１２の中から、振分ステータスが「未了」の読影依頼１５を振り分ける振分先の候補を検索する検索機能を担う。検索部５１は、希望受託先情報４７ａおよび希望依頼元情報４７ｂに基づいて候補を検索する。
【００６０】
候補を検索する場合、検索部５１は、まず、読影依頼１５の各項目から、依頼元ＩＤ、撮影部位、および検査種を認識する。撮影部位および検査種は、読影依頼１５の画像ＩＤの項目から読影対象の画像ファイル１４を特定し、特定した画像ファイル１４を画像ＤＢ４０から検索してその付帯情報を参照して認識する。
【００６１】
検索部５１は、認識した依頼元ＩＤを希望受託先情報４７ａから検索し、検索した依頼元ＩＤの項目内で、認識した撮影部位、および検査種に対応する希望設定に「ＯＫ」が設定されている受託先ＩＤをピックアップし、希望設定に「ＮＧ」が設定されている受託先ＩＤを除外する。
【００６２】
本実施形態の例で説明すると、依頼元ＩＤが「Ｈ０００１」、撮影部位が「胸部」、検査種が「ＣＴ」の場合、受託先ＩＤ「Ｈ００５０」は希望設定が「ＯＫ」となっているのでピックアップし、一方受託先ＩＤ「Ｈ００５１」は希望設定が「ＮＧ」となっているので除外する。
【００６３】
続いて、検索部５１は、希望受託先情報４７ａからピックアップした受託先ＩＤを希望依頼元情報４７ｂから検索し、検索した受託先ＩＤの項目内で、認識した依頼元ＩＤ、撮影部位、および検査種に対応する希望設定に「ＯＫ」が設定されている受託先ＩＤをピックアップし、希望設定に「ＮＧ」が設定されている受託先ＩＤを除外する。
【００６４】
本実施形態の例で説明すると、依頼元ＩＤが「Ｈ０００１」、撮影部位が「胸部」、検査種が「超音波」の場合、受託先ＩＤ「Ｈ００５０」は希望受託先情報４７ａの希望設定が「ＯＫ」となっているが、希望依頼元情報４７ｂの希望設定が「ＮＧ」となっているので除外する。要するに、認識した依頼元ＩＤ、撮影部位、および検査種に対応する希望受託先情報４７ａの希望設定と希望依頼元情報４７ｂの希望設定に両方「ＯＫ」が設定されている受託先ＩＤをピックアップし、希望受託先情報４７ａの希望設定と希望依頼元情報４７ｂの希望設定のいずれかに「ＮＧ」が設定されている受託先ＩＤを除外する。検索部５１は、このようにして検索した受託先ＩＤの読影受託先１２を振分先の候補とし、その情報を振分部５２に出力する。
【００６５】
振分部５２は、検索部５１が検索した候補の中から振分先を決定し、決定した振分先に読影依頼１５を振り分ける振分機能を担う。振分部５２は、候補が１つに絞られていた場合は、その１つの候補を振分先として決定する。一方、候補が複数ある場合は、振分部５２は、複数の候補のうち、優先順位情報４８で優先順位が最も高い受託先ＩＤの読影受託先１２を振分先として決定する。
【００６６】
振分部５２は、読影依頼１５と、振分先に決定した読影受託先１２の情報、より具体的には振分先に決定した読影受託先１２の受託先端末１９のＩＰアドレスとを通信部３３に出力する。そして、当該読影依頼１５の依頼レコードリスト４５の振分ステータスを「完了」に変更し、受託先ＩＤの項目に振分先の受託先ＩＤを登録し、送信日時の項目にそのときの日時を登録する。通信部３３は、振分部５２から受け取ったＩＰアドレスの受託先端末１９に読影依頼１５を送信する。
【００６７】
振分条件設定部５３は、振分条件である希望受託先情報４７ａ、希望依頼元情報４７ｂ、および優先順位情報４８を設定する振分条件設定機能を担う。振分条件設定部５３は、希望受託先情報４７ａおよび希望依頼元情報４７ｂを設定するための希望設定ウィンドウ５３（図１１および図１２も参照）、並びに優先順位情報４８を設定するための優先順位設定ウィンドウ５５（図１３も参照）の表示データをストレージデバイス３０から受け取り、これらをディスプレイ３４に出力する。また、振分条件設定部５３は、希望設定ウィンドウ５３を用いた希望受託先情報４７ａおよび希望依頼元情報４７ｂ、並びに優先順位設定ウィンドウ５５を用いた優先順位情報４８の入力デバイス３５からの設定指示に応じた処理を行う。例えば、希望設定ウィンドウ５３にて希望受託先情報４７ａまたは希望依頼元情報４７ｂの設定を保存する操作指示が入力された場合、振分条件設定部５３は、当該希望受託先情報４７ａまたは希望依頼元情報４７ｂを振分条件ＤＢ４４に格納する。
【００６８】
転送処理部５４は、モダリティ１４からレポート作成端末２０への画像ファイル１４の転送、およびレポート作成端末２０から依頼元端末１８への読影レポート１６の転送を処理する転送処理機能を担う。転送処理部５４は、モダリティ１４からの画像ファイル１４、およびレポート作成端末２０からの読影レポート１６を、通信部３３を介して受け取る。転送処理部５４は、画像ファイル１４を画像ＤＢ４０に、読影レポート１６をレポートＤＢ４１にそれぞれ格納する。
【００６９】
読影レポート１６を格納した場合、転送処理部５４は、当該読影依頼１５の依頼レコードリスト４５の読影ステータスを「完了」に変更し、レポートＩＤの項目に格納した読影レポート１６のレポートＩＤを登録し、受信日時の項目にそのときの日時を登録する。また、転送処理部５４は、読影レポート１６の作成が完了して、読影レポート１６の閲覧が可能であることを示すレポート作成完了通知を通信部３３に出力する。レポート作成完了通知は、レポートＩＤ、および依頼元端末１８のＩＰアドレスを含む。通信部３３は、転送処理部５４から受け取ったＩＰアドレスの依頼元端末１８にレポート作成完了通知を送信する。
【００７０】
転送処理部５４は、通信部３３を介して、画像ファイル１４の取得要求をレポート作成端末２０から、読影レポート１６の取得要求を依頼元端末１８からそれぞれ受け取る。取得要求には、画像ファイル１４の画像ＩＤや読影レポート１６のレポートＩＤといった検索キーと、取得要求を送信したレポート作成端末２０や依頼元端末１８のＩＰアドレスが含まれる。転送処理部５４は、検索キーに対応した画像ファイル１４や読影レポート１６を画像ＤＢ４０やレポートＤＢ４１から検索する。転送処理部５４は、検索した画像ファイル１４や読影レポート１６と、その送信先の情報である取得要求のＩＰアドレスを通信部３３に出力する。通信部３３は、転送処理部５４から受け取ったＩＰアドレスのレポート作成端末２０に画像ファイル１４を、依頼元端末１８に読影レポート１６をそれぞれ送信する。
【００７１】
図１１および図１２において、希望受託先情報４７ａおよび希望依頼元情報４７ｂを設定するための希望設定ウィンドウ５３には、情報表示領域６０、ボタン群６１、および設定領域６２等が設けられている。情報表示領域６０の横には、希望受託先情報４７ａの設定と希望依頼元情報４７ｂの設定を切り替えるための希望受託先設定ボタン６３ａおよび希望依頼元設定ボタン６３ｂが設けられている。図１１は、ハッチングで示すように希望受託先設定ボタン６３ａがカーソル６４で選択されて、希望受託先情報４７ａを設定している様子を示し、図１２は、希望依頼元設定ボタン６３ｂが選択されて、希望依頼元情報４７ｂを設定している様子を示す。
【００７２】
情報表示領域６０には、振分条件ＤＢ４４に格納された希望受託先情報４７ａまたは希望依頼元情報４７ｂが表示される。情報表示領域６０には希望受託先情報４７ａまたは希望依頼元情報４７ｂの一部が表示され、必要に応じて表示領域をスクロールバーで上下に移動させることが可能である。情報表示領域６０では、依頼元ＩＤおよび受託先ＩＤが施設名に変換されて表示される。図１１では希望受託先設定ボタン６３ａが選択されているので、情報表示領域６０には希望受託先情報４７ａが表示されている。希望依頼元設定ボタン６３ｂが選択された場合は、図１２に示すように、情報表示領域６０には希望依頼元情報４７ｂが表示され、読影依頼元と読影受託先の表示順が図１１と逆になり、読影受託先が先頭に表示される。
【００７３】
希望受託先情報４７ａまたは希望依頼元情報４７ｂの横にはチェックボックス６５が設けられている。このチェックボックス６５をカーソル６４で選択し、ボタン群６１の削除ボタン６６や編集ボタン６７をカーソル６４で選択することで、希望受託先情報４７ａまたは希望依頼元情報４７ｂの削除、編集が可能となる。また、ボタン群６１の新規追加ボタン６８をカーソル６４で選択することで、希望受託先情報４７ａまたは希望依頼元情報４７ｂの新規追加が可能となる。
【００７４】
設定領域６２には、希望受託先情報４７ａおよび希望依頼元情報４７ｂの各項目、具体的には読影依頼元１１の施設名、読影受託先１２の施設名、撮影部位、検査種、および希望設定の各項目を選択するためのプルダウンメニュー６９、７０、７１、７２、７３と、保存ボタン７４とが設けられている。図１１の場合は、読影依頼元１１の施設名を選択するためのプルダウンメニュー６９が、読影受託先１２の施設名を選択するためのプルダウンメニュー７０の上部に位置し、図１２の場合は、プルダウンメニュー６９、７０の表示順が逆になる。
【００７５】
プルダウンメニュー６９、７０には、施設情報４６に登録された読影依頼元１１および読影受託先１２の全施設名がそれぞれ選択肢として表示される。プルダウンメニュー７１には、胸部、腹部等の撮影部位、プルダウンメニュー７２にはＣＴ、ＭＲＩ等の検査種が選択肢として表示される。プルダウンメニュー７３にはＯＫ、ＮＧが選択肢として表示される。プルダウンメニュー７３を除く各プルダウンメニュー６９〜７２には、全選択肢を選択することができる「全て」という選択肢が設けられている（図１２のプルダウンメニュー６９参照）。
【００７６】
チェックボックス６５をカーソル６４で選択し、編集ボタン６７を選択したうえで、各プルダウンメニュー６９〜７３で所望の選択肢を選択して、保存ボタン７４を選択した場合、振分条件設定部５３は、チェックボックス６５で選択された希望受託先情報４７ａまたは希望依頼元情報４７ｂの内容を、そのときのプルダウンメニュー６９〜７３の選択状態に応じて変更する。また、新規追加ボタン６８を選択したうえで、各プルダウンメニュー６９〜７３で所望の選択肢を選択し、保存ボタン７４を選択した場合、振分条件設定部５３は、そのときのプルダウンメニュー６９〜７３の選択状態に応じた新規の希望受託先情報４７ａまたは希望依頼元情報４７ｂを追加する。
【００７７】
図１３において、優先順位設定ウィンドウ５５には、読影依頼元１１の施設名を選択するためのプルダウンメニュー７５、設定領域７６、および保存ボタン７７が設けられている。プルダウンメニュー７５には、施設情報４６に登録された読影依頼元１１の全施設名が選択肢として表示される。設定領域７６には、施設情報４６に登録された読影受託先１２の施設名と、各読影受託先１２の優先順位を設定するためのプルダウンメニュー７８が表示される。設定領域７６には、読影受託先１２の施設名とプルダウンメニュー７８の一部が表示され、必要に応じて表示領域をスクロールバーで上下に移動させることが可能である。
【００７８】
プルダウンメニュー７５で所望の読影依頼元１１の施設名を選択して、プルダウンメニュー７８で所望の優先順位を設定し、保存ボタン７７を選択した場合、振分条件設定部５３は、そのときのプルダウンメニュー７５、７８の選択状態に応じた優先順位情報４８を振分条件ＤＢ４４に格納する。
【００７９】
以下、上記構成による作用について、図１４ないし図１７を参照して説明する。まず、データセンター１０の管理担当者により、入力デバイス３５が操作されて、読影依頼振分プログラム３７が起動される。これにより、ＣＰＵ３２に読影依頼受付部５０、検索部５１、振分部５２、振分条件設定部５３、および転送処理部５４が構築され、センターサーバ２０を構成するコンピュータは、読影依頼振分装置として機能する。
【００８０】
読影依頼元１１および読影受託先１２から希望受託先情報４７ａまたは希望依頼元情報４７ｂを聞き取った場合、データセンター１０の管理担当者は、入力デバイス３５を操作して、希望設定ウィンドウ５３を表示させる操作指示を入力する。図１４のステップＳ１０において、この希望設定ウィンドウ５３を表示させる操作指示は振分条件設定部５３で受け付けられる。振分条件設定部５３は希望設定ウィンドウ５３の表示データをストレージデバイス３０から受け取り（ステップＳ１１）、受け取った表示データをディスプレイ３４に出力する（ステップＳ１２）。これによりディスプレイ３４に希望設定ウィンドウ５３が表示される。
【００８１】
希望受託先情報４７ａまたは希望依頼元情報４７ｂを聞き取る手段としては、ＩＰネットワーク１３を介した電子データ、郵送書類、電話による口頭連絡等が挙げられる。また、希望受託先情報４７ａまたは希望依頼元情報４７ｂを聞き取るタイミングとしては、読影依頼元１１および読影受託先１２のアプリケーションサービスの利用契約時が挙げられる。あるいは、読影依頼元１１において、それまで読影依頼１５を希望していた読影受託先１２から、もっと評判のよい読影受託先１２に読影依頼１５を希望したい場合や、読影受託先１２において、超音波の読影を専門としていた読影医が退職して、超音波の読影依頼１５を受託できなくなった場合等、読影依頼元１１および読影受託先１２の都合に応じた適宜のタイミングでもよい。
【００８２】
データセンター１０の管理担当者は、聞き取り内容に応じた希望受託先情報４７ａまたは希望依頼元情報４７ｂを、希望設定ウィンドウ５３を操作して設定する。この希望受託先情報４７ａまたは希望依頼元情報４７ｂの設定指示は振分条件設定部５３で受け付けられ（ステップＳ１３）、振分条件設定部５３により、設定指示に応じて希望受託先情報４７ａまたは希望依頼元情報４７ｂを更新する（ステップＳ１４）。
【００８３】
具体的には、設定指示が希望受託先情報４７ａまたは希望依頼元情報４７ｂの削除を指示するものであった場合、振分条件設定部５３は、チェックボックス６５で選択された希望受託先情報４７ａまたは希望依頼元情報４７ｂを、振分条件ＤＢ４４から削除する。設定指示が希望受託先情報４７ａまたは希望依頼元情報４７ｂの編集を指示するものであった場合は、チェックボックス６５で選択された希望受託先情報４７ａまたは希望依頼元情報４７ｂの内容を、プルダウンメニュー６９〜７３の選択状態に応じて変更する。設定指示が希望受託先情報４７ａまたは希望依頼元情報４７ｂの新規追加を指示するものであった場合は、プルダウンメニュー６９〜７３の選択状態に応じた新規の希望受託先情報４７ａまたは希望依頼元情報４７ｂを振分条件ＤＢ４４に追加する。これにより、読影依頼元１１および読影受託先１２の希望に沿った希望受託先情報４７ａおよび希望依頼元情報４７ｂが振分条件ＤＢ４４に格納されていく。
【００８４】
希望受託先情報４７ａおよび希望依頼元情報４７ｂは、読影依頼元１１または読影受託先１２毎、かつ撮影部位および検査種毎に設定可能であるため、読影依頼元１１および読影受託先１２の希望に即した細やかな希望受託先情報４７ａおよび希望依頼元情報４７ｂを設定することができる。
【００８５】
希望受託先情報４７ａおよび希望依頼元情報４７ｂの設定に加えて、データセンター１０の管理担当者によって、優先順位設定ウィンドウ５５を用いて優先順位が設定される。
【００８６】
読影依頼元１１において、モダリティ１７で患者が撮影され、画像ファイル１４が取得される。画像ファイル１４はモダリティ１７からセンターサーバ２０に送信され、転送処理部５４によって画像ＤＢ４０に格納される。
【００８７】
読影依頼元１１の主治医は、依頼元端末１８を操作して、医用画像の読影依頼１５をセンターサーバ２０に送信する。センターサーバ２０において、依頼元端末１８からの読影依頼１５は通信部３３で受信され、図１５のステップＳ２０に示すように、読影依頼受付部５０で受け付けられる。
【００８８】
読影依頼１５は、読影依頼受付部５０により依頼レコードリスト４５に記録される（ステップＳ２１）。依頼レコードリスト４５から検索部５１に、振分ステータスが「未了」の読影依頼１５が所定の時間間隔で読み出される。そして、検索部５１により、希望受託先情報４７ａおよび希望依頼元情報４７ｂに基づいて、読影依頼１５を振り分ける振分先の候補が検索される（ステップＳ２２）。
【００８９】
具体的には、読影依頼１５により認識した依頼元ＩＤ、撮影部位、および検査種に対応する希望受託先情報４７ａの希望設定と希望依頼元情報４７ｂの希望設定に両方「ＯＫ」が設定されている受託先ＩＤがピックアップされ、希望受託先情報４７ａの希望設定と希望依頼元情報４７ｂの希望設定のいずれかに「ＮＧ」が設定されている受託先ＩＤが除外される。
【００９０】
振分先の候補として、希望受託先情報４７ａの希望設定と希望依頼元情報４７ｂの希望設定に両方「ＯＫ」が設定されている読影受託先１２を検索するので、読影依頼元１１と読影受託先１２の双方の希望を反映させて、読影依頼１５を振り分けることができる。
【００９１】
振分部５２により、検索部５１が検索した候補の中から振分先が決定される（ステップＳ２３）。この際、複数の候補のうち、優先順位情報４８で優先順位が最も高い読影受託先１２が振分先として決定される。振分部５２は、決定した振分先の情報である受託先端末１９のＩＰアドレスを施設情報４６から検索し、これを読影依頼１５とともに通信部３３に出力する（ステップＳ２４）。これにより、読影依頼１５が通信部３３から振分先の受託先端末１９に送信される。読影依頼１５の送信後、振分部５２により、依頼レコードリスト４５が更新される（ステップＳ２５）。
【００９２】
読影受託先１２において、センターサーバ２０からの読影依頼１５は、受託先端末１９で受信される。読影医は、レポート作成端末２０で読影依頼１５の内容を確認し、画像ＤＢ４０にアクセスして読影対象の医用画像の画像ファイル１４をレポート作成端末２０に取り込み、これにより表示される医用画像の表示画面を参照しつつ読影依頼１５に応じた読影レポート１６を作成する。
【００９３】
作成された読影レポート１６は、レポート作成端末２０からセンターサーバ２０に送信される。センターサーバ２０において、レポート作成端末２０からの読影レポート１６は通信部３３で受信され、図１６のステップＳ３０に示すように、転送処理部５４に受け取られる。読影レポート１６は、転送処理部５４によりレポートＤＢ４１に格納される（ステップＳ３１）。読影レポート１６の格納後、転送処理部５４により、依頼レコードリスト４５が更新される（ステップＳ３２）。次いでステップＳ３３に示すように、レポートＩＤおよび依頼元端末１８のＩＰアドレスを含むレポート作成完了通知が転送処理部５４から通信部３３に出力される。レポート作成完了通知は、通信部３３から依頼元端末１８に送信される。
【００９４】
依頼元端末１８でレポート作成完了通知を受けた場合、読影依頼１５をした読影依頼元１１の主治医は、依頼元端末１８を通じて、レポート作成完了通知に付されたレポートＩＤを検索キーとする読影レポート１６の取得要求をセンターサーバ２０に送信する。
【００９５】
センターサーバ２０において、依頼元端末１８からの読影レポート１６の取得要求が通信部３３で受信され、図１７のステップＳ４０に示すように、転送処理部５４に受け取られる。転送処理部５４は、取得要求に応じた読影レポート１６をレポートＤＢ４１から検索し（ステップＳ４１）、検索した読影レポート１６と読影依頼元１１の情報である依頼元端末１８のＩＰアドレスとを通信部３３に出力する（ステップＳ４２）。これにより、読影レポート１６が通信部３３から依頼元端末１８に送信される。
【００９６】
読影依頼元１１において、主治医は、依頼元端末１８でセンターサーバ２０からの読影レポート１６を閲覧し、読影レポート１６に基づいて診断および治療を行う。
【００９７】
本実施形態では、振分先の候補として、希望受託先情報４７ａの希望設定と希望依頼元情報４７ｂの希望設定に両方「ＯＫ」が設定されている読影受託先１２を検索しているが、この検索設定を初期設定としておき、読影依頼元１１の希望を重視する検索設定と、読影受託先１２の希望を重視する検索設定とで切替可能に構成してもよい。読影依頼元１１の希望を重視する検索設定の場合は、希望依頼元情報４７ｂの希望設定に関係なく希望受託先情報４７ａの希望設定が「ＯＫ」である読影受託先１２を検索する。読影受託先１２の希望を重視する場合は、反対に希望受託先情報４７ａの希望設定に関係なく希望依頼元情報４７ｂの希望設定が「ＯＫ」である読影受託先１２を検索する。このように、希望受託先情報４７ａの希望設定および希望依頼元情報４７ｂの希望設定の両方を設定することで、読影依頼元１１および読影受託先１２の双方の希望を反映させる検索設定、読影依頼元１１の希望を重視する検索設定、読影受託先１２の希望を重視する検索設定の切替が可能となり、その時々のニーズに合った読影依頼１５の振分が可能となる。
【００９８】
本実施形態では、希望設定として「ＯＫ」、「ＮＧ」の二種を設定しているが、「ＯＫ」、「ＮＧ」のうちのいずれか１つを設定するだけでもよい。すなわち、希望受託先情報４７ａおよび希望依頼元情報４７ｂは、積極的に希望する意思表示と消極的に希望する意思表示が両方設定されるものに限らず、積極的に希望する意思表示と消極的に希望する意思表示のうちのいずれか１つが設定されるものでもよい。積極的に希望する意思表示とは、希望設定の「ＯＫ」であり、消極的に希望する意思表示とは、希望設定の「ＮＧ」のように、特定の読影依頼元１１または読影受託先１２の積極的な忌避の意思表示を通じて、忌避した特定の読影依頼元１１または読影受託先１２以外を消極的に希望する意思表示である。
【００９９】
[第２実施形態]
上記第１実施形態では、希望受託先情報４７ａの希望設定および希望依頼元情報４７ｂの希望設定に基づいて、振分先の候補を検索している。このように希望設定は、振分先の候補を検索する重要な振分条件であるため、希望設定の選択には細心の注意を払う必要がある。しかしながら、希望設定は、希望設定ウィンドウ５３を用いてデータセンター１０の管理担当者が手動で設定している。このため、管理担当者のミスで、振分条件設定部５３で設定済みの振分条件ＤＢ４４に格納された希望受託先情報４７ａまたは希望依頼元情報４７ｂと希望設定が相反する内容の希望受託先情報４７ａまたは希望依頼元情報４７ｂが新規に追加されるおそれがある。
【０１００】
こうした事態が起こると、依頼元ＩＤ、受託先ＩＤ、撮影部位、検査種が同じで、希望設定が「ＯＫ」と「ＮＧ」で相反する２つの希望受託先情報４７ａまたは希望依頼元情報４７ｂが振分条件ＤＢ４４に共存することになる。検索部５１は、相反する２つの希望受託先情報４７ａまたは希望依頼元情報４７ｂのうちのいずれに基づいて振分先の候補を検索したらよいかが分からず、読影依頼１５を正しく振り分けることができなくなる。
【０１０１】
そこで、本実施形態では、振分条件設定部５３で設定済みの振分条件ＤＢ４４に格納された希望受託先情報４７ａまたは希望依頼元情報４７ｂと希望設定が相反する内容の希望受託先情報４７ａまたは希望依頼元情報４７ｂが新規に追加されようとした場合に、相反する内容である旨の警告通知を出力し、相反する内容が新規に追加されることを防止する。
【０１０２】
図１８に示すように、本実施形態のデータセンター２０のＣＰＵ８０には、上記第１実施形態の各部５０〜５４（振分条件設定部５３以外は不図示）に加えて、判定部８１および警告通知出力部８２が構築される。判定部８１は、振分条件設定部５３で設定済みの振分条件ＤＢ４４に格納された希望受託先情報４７Ａａまたは希望依頼元情報４７Ａｂと、希望設定ウィンドウ５３で入力デバイス３５を介して新規に追加される希望受託先情報４７Ｂａまたは希望依頼元情報４７Ｂｂとが相反する内容であるか否かを判定する判定機能を担う。
【０１０３】
希望設定ウィンドウ５３で新規追加ボタン６８が選択されて保存ボタン７４が選択された場合、振分条件設定部５３は、そのとき受け付けた希望受託先情報４７Ｂａまたは希望依頼元情報４７Ｂｂを判定部８１に出力する。判定部８１は、振分条件設定部５３からの希望受託先情報４７Ｂａまたは希望依頼元情報４７Ｂｂと、希望設定以外の各項目が同じ内容の希望受託先情報４７Ａａおよび希望依頼元情報４７Ａｂを振分条件ＤＢ４４から検索する。希望受託先情報４７Ｂａまたは希望依頼元情報４７Ｂｂと、希望設定以外の各項目が同じ内容の希望受託先情報４７Ａａまたは希望依頼元情報４７Ａｂが振分条件ＤＢ４４に格納されていない場合、判定部８１は、振分条件設定部５３に希望受託先情報４７Ｂａまたは希望依頼元情報４７Ｂｂの新規追加を許可する旨の新規追加許可通知を出力する。振分条件設定部５３は、判定部８１から新規追加許可通知を受けた場合、希望受託先情報４７Ｂａまたは希望依頼元情報４７Ｂｂを振分条件ＤＢ４４に新規追加する。
【０１０４】
希望受託先情報４７Ｂａまたは希望依頼元情報４７Ｂｂと、希望設定以外の各項目が同じ内容の希望受託先情報４７Ａａまたは希望依頼元情報４７Ａｂが振分条件ＤＢ４４に格納されていて、かつ希望設定も同じ内容であった場合は、判定部８１および振分条件設定部５３は新規追加の設定指示を無視して何もしない。
【０１０５】
一方、希望受託先情報４７Ｂａまたは希望依頼元情報４７Ｂｂと、希望設定以外の各項目が同じ内容の希望受託先情報４７Ａａまたは希望依頼元情報４７Ａｂが振分条件ＤＢ４４に格納されていて、かつ希望設定が相反する内容であった場合、判定部８１は、振分条件設定部５３および警告通知出力部８２に希望受託先情報４７Ｂａまたは希望依頼元情報４７Ｂｂの新規追加を禁止する旨の新規追加禁止通知を出力する。判定部８１から新規追加禁止通知を受けた場合、振分条件設定部５３は新規追加の設定指示を無視して何もしない。
【０１０６】
判定部８１から新規追加禁止通知を受けた場合、警告通知出力部８２は、警告通知ウィンドウ８３（図１９も参照）をディスプレイ３４に出力する。
【０１０７】
図１９に示すように、警告通知ウィンドウ８３には、設定済みの希望受託先情報４７Ａａまたは希望依頼元情報４７Ａｂと希望設定が相反する内容の希望受託先情報４７Ｂａまたは希望依頼元情報４７Ｂｂの新規追加ができないことをデータセンター１０の管理担当者に示し、設定を中止するかやり直すことを促すメッセージが表示される。警告通知ウィンドウ８３は、設定済みの希望受託先情報４７Ａａまたは希望依頼元情報４７Ａｂと希望設定が相反する内容の希望受託先情報４７Ｂａまたは希望依頼元情報４７Ｂｂを新規追加しようとしたときに、例えば希望設定ウィンドウ５３上にポップアップ表示される。警告通知ウィンドウ８３は、ＯＫボタン８４をカーソル６４で選択することで表示が消える。
【０１０８】
警告通知ウィンドウ８３で、設定済みの希望受託先情報４７Ａａまたは希望依頼元情報４７Ａｂと希望設定が相反する内容の希望受託先情報４７Ｂａまたは希望依頼元情報４７Ｂｂの新規追加ができないことをデータセンター１０の管理担当者に示すので、相反する内容が新規追加されることを防止することができる。
【０１０９】
なお、警告通知の方法としては、上記の警告通知ウィンドウ８３の表示に加えて、あるいは代えて、音声（メッセージを読み上げる、またはビープ音等）や振動を用いてもよい。あるいは、希望設定ウィンドウ５３の枠を点滅表示させたり、保存ボタン７４を選択不可能にしたりしてもよい。また、本実施形態では、振分条件設定部５３とは別に判定部８１を設けたが、振分条件設定部５３が判定部８１の機能を担ってもよい。
【０１１０】
［第３実施形態］
読影受託先１２は、読影センター等の医療施設であるため、当然ながら営業時間があり、営業時間に応じた読影可能な時間帯が存在する。また、在籍している読影医の多寡や能力によって、読影可能な医療検査の件数や読影可能な医用画像の枚数といった許容量がだいたい決まっている。読影受託先１２としては、読影可能な時間帯に、許容量をオーバーすることなく読影依頼１５を受託することができるほうが、業務が円滑に進むため好ましい。
【０１１１】
そこで、本実施形態では、読影受託先１２が読影可能な時間帯と、その時間帯で読影受託先１２が処理可能な読影依頼１５のキャパシティを示す許容量（具体的には読影受託先１２が読影可能な医療検査の件数、および読影受託先１２が読影可能な医用画像の枚数）との組み合わせ（以下、時間帯・件数・枚数情報という）を振分条件として追加し、上記第１実施形態の希望受託先情報４７ａおよび希望依頼元情報４７ｂと時間帯・件数・枚数情報とに基づいて、振分先の候補を検索する。
【０１１２】
図２０において、本実施形態では、希望受託先情報４７ａ、希望依頼元情報４７ｂ、および優先順位情報４８に加えて、時間帯・件数・枚数情報８５が振分条件ＤＢ４４に格納されている。
【０１１３】
図２１において、時間帯・件数・枚数情報８５は、受託先ＩＤの項目を筆頭に、読影可能な時間帯と、その時間帯で読影可能な医療検査の件数、およびその時間帯で読影可能な医用画像の枚数の項目を有する。読影可能な時間帯の項目には、その時間帯の開始日時および終了日時が記される。
【０１１４】
開始日時および終了日時は、受託先ＩＤ「Ｈ００５０」の開始日時「２０１４．０７．１５  １７：００」および終了日時「２０１４．０７．１６  ０９：００」のように、日付をまたいで設定することが可能である。また、開始日時および終了日時は、受託先ＩＤ「Ｈ００５１」のように、繰り返し同じ時間を設定することも可能である。この繰り返し設定は、例えば日毎、週毎、月毎、曜日毎に行うことができ、繰り返し設定を止める日を設定することも可能である。
【０１１５】
読影可能な医療検査の件数および医用画像の枚数の項目には、胸部、腹部等の各撮影部位、およびＣＴ、ＭＲＩ等の各検査種の全てを包含した件数および枚数が記される。なお、これら時間帯、医療検査の件数、および医用画像の枚数を聞き取る手段としては、希望受託先情報４７ａおよび希望依頼元情報４７ｂの場合と同様に、ＩＰネットワーク１３を介した電子データ、郵送書類、電話による口頭連絡等が挙げられる。
【０１１６】
図２２において、本実施形態では、振分条件設定部５３は、希望受託先情報４７ａ、希望依頼元情報４７ｂ、および優先順位情報４８に加えて、振分条件として時間帯・件数・枚数情報８５を受け付け、時間帯・件数・枚数情報８５を振分条件ＤＢ４４に格納する。また、振分条件設定部５３は、希望設定ウィンドウ５３および優先順位設定ウィンドウ５５に加えて、時間帯・件数・枚数情報８５を設定するための時間帯・件数・枚数設定ウィンドウ８６（図２３も参照）をディスプレイ３４に出力する。
【０１１７】
図２３において、時間帯・件数・枚数設定ウィンドウ８６には、情報表示領域９０、ボタン群９１、および設定領域９２が設けられている。情報表示領域９０には、振分条件ＤＢ４４に格納された時間帯・件数・枚数情報８５が表示される。情報表示領域９０には時間帯・件数・枚数情報８５の一部が表示され、必要に応じて表示領域をスクロールバーで上下に移動させることが可能である。情報表示領域９０では、受託先ＩＤが施設名に変換されて表示される。
【０１１８】
時間帯・件数・枚数情報８５の横にはチェックボックス９３が設けられている。このチェックボックス９３をカーソル６４で選択し、ボタン群９１の削除ボタン９４や編集ボタン９５をカーソル６４で選択することで、時間帯・件数・枚数情報８５の削除、編集が可能となる。また、ボタン群９１の新規追加ボタン９６をカーソル６４で選択することで、時間帯・件数・枚数情報８５の新規追加が可能となる。
【０１１９】
設定領域９２には、時間帯・件数・枚数情報８５の各項目を入力するためのＧＵＩ、具体的には読影受託先１２の施設名を選択するためのプルダウンメニュー９７、読影可能な時間帯の開始日時および終了日時、読影可能な医療検査の件数、並びに読影可能な医用画像の枚数の各項目を入力するための入力ボックス９８、９９、１００、１０１と、保存ボタン１０２とが設けられている。読影可能な時間帯の開始日時および終了日時の選択用の入力ボックス９８、９９は、日付を入力する入力ボックス９８ａ、９９ａと、時刻を入力する入力ボックス９８ｂ、９９ｂとに分かれている。
【０１２０】
プルダウンメニュー９７には、施設情報４６に登録された読影受託先１２の全施設名が選択肢として表示される。入力ボックス９８、９９には、現在の日時を起点とする日付および時刻が入力される。日付入力用の入力ボックス９８ａ、９９ａは、日毎、週毎、月毎、曜日毎の入力も受け付ける。時刻入力用の入力ボックス９８ｂ、９９ｂは、例えば３０分刻みの時刻の入力を受け付ける。
【０１２１】
チェックボックス９３をカーソル６４で選択し、編集ボタン９５を選択したうえで、プルダウンメニュー９７で所望の選択肢を選択して、入力ボックス９８〜１０１に所望の日時や件数、枚数を入力し、保存ボタン１０２を選択した場合、振分条件設定部５３は、チェックボックス９３で選択された時間帯・件数・枚数情報８５の内容を、そのときのプルダウンメニュー９７の選択状態および入力ボックス９８〜１０１の入力状態に応じて変更する。また、新規追加ボタン９６を選択したうえで、プルダウンメニュー９７で所望の選択肢を選択して、入力ボックス９８〜１０１に所望の日時や件数、枚数を入力し、保存ボタン１０２を選択した場合、振分条件設定部５３は、そのときのプルダウンメニュー９７の選択状態および入力ボックス９８〜１０１の入力状態に応じた新規の時間帯・件数・枚数情報８５を振分条件ＤＢ４４に追加する。
【０１２２】
検索部５１は、希望受託先情報４７ａおよび希望依頼元情報４７ｂに基づいて、振分先の候補を検索する。希望受託先情報４７ａおよび希望依頼元情報４７ｂに基づいて検索した、振分先の候補が複数ある場合、検索部５１は、時間帯・件数・枚数情報８５に基づいて、振分先の候補をさらに絞り込む。
【０１２３】
より具体的には、検索部５１は、まず、現在の日時と、複数候補の各読影受託先１２の時間帯・件数・枚数情報８５の読影可能な時間帯とを比較し、現在の日時が読影可能な時間帯として設定されている読影受託先１２の受託先ＩＤをピックアップし、現在の日時が読影可能な時間帯から外れている読影受託先１２の受託先ＩＤを除外する。
【０１２４】
現在の日時と読影可能な時間帯との比較による絞り込みでも未だに候補が複数ある場合、検索部５１は、当該時間帯における複数候補の各読影受託先１２の読影依頼１５の振分実績と、複数候補の各読影受託先１２の時間帯・件数・枚数情報８５の読影可能な医療検査の件数、および読影可能な医用画像の枚数とを比較する。検索部５１は、読影依頼１５を振り分けた場合に、振分実績が読影可能な医療検査の件数、および読影可能な医用画像の枚数の両方を下回る読影受託先１２の受託先ＩＤをピックアップし、読影依頼１５を振り分けた場合に、振分実績が読影可能な医療検査の件数、および読影可能な医用画像の枚数のうちの少なくとも１つを上回る読影受託先１２の受託先ＩＤを除外する。
【０１２５】
振分実績は、当該時間帯でその読影受託先１２に振り分けた読影依頼１５の医療検査の件数、および医用画像の枚数の総計である。検索部５１は、依頼レコードリスト４５の中から、送信日時が当該時間帯内で、振分ステータスが「完了」かつ読影ステータスが「未了」となっている読影依頼１５、つまり読影受託先１２で読影レポート１６を作成途中の読影依頼１５をピックアップし、複数候補の読影受託先１２毎に医療検査の件数、および医用画像の枚数を集計することで振分実績を得る。振分ステータスが「未了」、または振分ステータス、読影ステータスが両方とも「完了」となっている読影依頼１５は、振分実績の集計対象外である。医療検査の件数は読影依頼１５の件数であり、医用画像の枚数は、画像ＩＤの項目に記された画像ＩＤの数である。
【０１２６】
振分実績と読影可能な医療検査の件数、および読影可能な医用画像の枚数との比較による絞り込みでも未だに候補が複数ある場合は、上記第１実施形態で述べたように、振分部５２にて、複数の候補のうち、優先順位情報４８で優先順位が最も高い受託先ＩＤの読影受託先１２を振分先として決定する。振分先の決定後の処理は上記第１実施形態と同一であるため説明を省略する。
【０１２７】
読影受託先１２の読影可能な時間帯、およびその時間帯で読影受託先１２が処理可能な読影依頼１５のキャパシティを示す許容量の組み合わせを振分条件として、振分先の候補を検索するので、読影受託先１２は、読影可能な時間帯に、許容量をオーバーすることなく読影依頼１５を受託することができ、業務を円滑に進めることができる。したがって、より読影受託先１２の希望に沿った読影依頼１５の振分が可能となる。
【０１２８】
なお、許容量として、読影可能な医療検査の件数、および読影可能な医用画像の枚数の両方を挙げているが、少なくとも１つでよい。また、読影受託先１２によっては、ある読影医によって作成された読影レポート１６を、他の読影医がチェックする等、２名またはそれ以上の読影医が１つの読影レポート１６の作成に関わる運用をするものがあるが、この場合も振分実績は上記と同様に集計する。
【０１２９】
［第４実施形態］
希望受託先情報４７ａおよび希望依頼元情報４７ｂと同様に、上記第３実施形態の読影可能な時間帯と許容量の組み合わせは、時間帯・件数・枚数設定ウィンドウ８６でデータセンター１０の管理担当者が手動で設定しているため、振分条件設定部５３で設定済みの振分条件ＤＢ４４に格納された時間帯・件数・枚数情報８５と時間帯が重複し、かつ許容量が相反する内容の時間帯・件数・枚数情報８５が新規に追加されるおそれがある。こうした事態が起こると、受託先ＩＤが同じで、時間帯が重複し許容量が相反する時間帯・件数・枚数情報８５が振分条件ＤＢ４４に共存することになり、読影依頼１５を正しく振り分けることができなくなる。
【０１３０】
そこで、本実施形態では、振分条件設定部５３で設定済みの振分条件ＤＢ４４に格納された時間帯・件数・枚数情報８５と時間帯が重複し許容量が相反する時間帯・件数・枚数情報８５が新規に追加されようとした場合に、相反する内容である旨の警告通知を出力し、相反する内容が新規に追加されることを防止する。
【０１３１】
図２４に示すように、本実施形態では、上記第２実施形態と同じく、判定部８１および警告通知出力部８２がＣＰＵ８０に構築される。判定部８１は、振分条件設定部５３で設定済みの振分条件ＤＢ４４に格納された時間帯・件数・枚数情報８５Ａと、時間帯・件数・枚数設定ウィンドウ８６で入力デバイス３５を介して新規に追加される時間帯・件数・枚数情報８５Ｂとが相反する内容であるか否かを判定する判定機能を担う。
【０１３２】
時間帯・件数・枚数設定ウィンドウ８６で新規追加ボタン９６が選択されて保存ボタン１０２が選択された場合、振分条件設定部５３は、そのとき受け付けた時間帯・件数・枚数情報８５Ｂを判定部８１に出力する。判定部８１は、振分条件設定部５３からの時間帯・件数・枚数情報８５Ｂと、受託先ＩＤが同じで読影可能な時間帯が重複する時間帯・件数・枚数情報８５Ａを振分条件ＤＢ４４から検索する。時間帯・件数・枚数情報８５Ｂと、受託先ＩＤが同じで読影可能な時間帯が重複する時間帯・件数・枚数情報８５Ａが振分条件ＤＢ４４に格納されていない場合、判定部８１は、振分条件設定部５３に時間帯・件数・枚数情報８５Ｂの新規追加を許可する旨の新規追加許可通知を出力する。振分条件設定部５３は、判定部８１から新規追加許可通知を受けた場合、時間帯・件数・枚数情報８５Ｂを振分条件ＤＢ４４に新規追加する。
【０１３３】
時間帯・件数・枚数情報８５Ｂと、受託先ＩＤが同じで読影可能な時間帯が重複する時間帯・件数・枚数情報８５Ａが振分条件ＤＢ４４に格納されていて、時間帯が同じで許容量も同じ内容であった場合は、判定部８１および振分条件設定部５３は新規追加の設定指示を無視して何もしない。
【０１３４】
一方、時間帯・件数・枚数情報８５Ｂと、受託先ＩＤが同じで読影可能な時間帯が重複する時間帯・件数・枚数情報８５Ａが振分条件ＤＢ４４に格納されていて、かつ許容量が相反する内容であった場合、判定部８１は、振分条件設定部５３および警告通知出力部８２に時間帯・件数・枚数情報８５Ｂの新規追加を禁止する旨の新規追加禁止通知を出力する。判定部８１から新規追加禁止通知を受けた場合、振分条件設定部５３は新規追加の設定指示を無視して何もしない。
【０１３５】
判定部８１から新規追加禁止通知を受けた場合、警告通知出力部８２は、上記第２実施形態と同様に、警告通知ウィンドウ８３をディスプレイ３４に出力する。
【０１３６】
警告通知ウィンドウ８３で、設定済みの時間帯・件数・枚数情報８５Ａと時間帯が重複し許容量が相反する内容の時間帯・件数・枚数情報８５Ｂの新規追加ができないことをデータセンター１０の管理担当者に示すので、相反する内容が新規追加されることを防止することができる。
【０１３７】
［第５実施形態］
上記第３実施形態で述べたように、読影受託先１２は、許容量をオーバーすることなく読影依頼１５を受託することができれば、業務が円滑に進むため好ましいが、読影依頼１５が振り分けられず、許容量を大きく下回る場合は報酬に響くため好ましくない。
【０１３８】
そこで、本実施形態では、読影受託先１２の許容量と、振り分け済みの読影依頼１５とに基づき、読影受託先１２の許容量に対する、読影受託先１２に実際に振り分けられた読影依頼１５の量の割合である充足率を計算する。そして、この充足率を振分条件として利用することで、許容量を大きく下回る読影受託先１２が出現しないようにする。なお、本実施形態では、上記第３実施形態の時間帯・件数・枚数情報８５も振分条件として用いられる。
【０１３９】
図２５において、本実施形態では、希望受託先情報４７ａ、希望依頼元情報４７ｂ、優先順位情報４８、および時間帯・件数・枚数情報８５に加えて、充足率情報１００が振分条件ＤＢ４４に格納されている。
【０１４０】
図２６において、充足率情報１００は、受託先ＩＤ毎に充足率を記録したものである。
【０１４１】
図２７において、本実施形態のデータセンター２０のＣＰＵ１０５には、上記第１実施形態の各部５０〜５４（転送処理部５４は不図示）に加えて、充足率算出部１０６が構築される。充足率算出部１０６は、所定の時間間隔で、依頼レコードＤＢ４２から依頼レコードリスト４５を、振分条件ＤＢ４４から時間帯・件数・枚数情報８５をそれぞれ読み出し、これらに基づいて読影受託先１２毎に充足率を算出する。所定の時間間隔は、例えば検索部５１が依頼レコードリスト４５から振分ステータスが「未了」の読影依頼１５を読み出す時間間隔と同じである。充足率算出部１０６は、算出した充足率を充足率情報１００として振分条件設定部５３に出力する。振分条件設定部５３は充足率情報１００を受け付け、充足率情報１００を振分条件ＤＢ４４に格納する。
【０１４２】
充足率は、以下のようにして算出する。まず、充足率算出部１０６は、依頼レコードリスト４５に基づいて、その日に振り分けた読影依頼１５の医療検査の件数、および医用画像の枚数の総計である振分実績を算出する。この場合の振分実績は、振分ステータスが「完了」かつ読影ステータスが「未了」となっている読影依頼１５のみを集計対象とする上記第３実施形態の振分実績とは異なり、振分ステータスが「完了」かつ読影ステータスが「未了」となっている読影依頼１５に加えて、振分ステータス、読影ステータスが両方とも「完了」となっている読影依頼１５も集計対象とする。以下、振分実績の医療検査の件数をＳＮａ、振分実績の医用画像の枚数をＳＣａとする。
【０１４３】
充足率算出部１０６は、時間帯・件数・枚数情報８５に基づいて、その日の許容量である読影可能な医療検査の件数ＳＮｂ、および読影可能な医用画像の枚数ＳＣｂを導出する。
【０１４４】
充足率算出部１０６は、振分実績の医療検査の件数ＳＮａを、読影可能な医療検査の件数ＳＮｂで除算し、件数充足率ＳＮ（＝ＳＮａ／ＳＮｂ）を求める。また、振分実績の医用画像の枚数ＳＣａを、読影可能な医用画像の枚数ＳＣｂで除算し、枚数充足率ＳＣ（＝ＳＣａ／ＳＣｂ）を求める。
【０１４５】
充足率算出部１０６は、件数充足率ＳＮと枚数充足率ＳＣを加算して２で除算し（件数充足率ＳＮと枚数充足率ＳＣの平均値を求め）、最終的に充足率情報１００とする充足率Ｓ（＝（ＳＮ＋ＳＣ）／２）を算出する。充足率Ｓは、件数充足率ＳＮと枚数充足率ＳＣの分子である振分実績の医療検査の件数ＳＮａと振分実績の医用画像の枚数ＳＣａの値が、件数充足率ＳＮと枚数充足率ＳＣの分母であるその日の読影可能な医療検査の件数ＳＮｂと読影可能な医用画像の枚数ＳＣｂの値と比べて小さい程、低い値となる。充足率Ｓの値が低い場合は、振り分け済みの読影依頼１５が、その読影受託先１２の読影業務のキャパシティよりも不足していることを示す。
【０１４６】
検索部５１は、希望受託先情報４７ａ、希望依頼元情報４７ｂ、および時間帯・件数・枚数情報８５に基づいて、振分先の候補を検索する。希望受託先情報４７ａ、希望依頼元情報４７ｂ、および時間帯・件数・枚数情報８５に基づいて検索した、振分先の候補が複数ある場合、検索部５１は、充足率情報１００に基づいて、振分先の候補をさらに絞り込む。
【０１４７】
より具体的には、検索部５１は、複数候補の各読影受託先１２の充足率を充足率情報１００から読み出し、充足率が予め設定された閾値（例えば０．５）よりも低い読影受託先１２の受託先ＩＤをピックアップし、充足率が閾値以上の読影受託先１２の受託先ＩＤを除外する。
【０１４８】
充足率情報１００による絞り込みでも未だに読影受託先１２が複数候補ある場合は、上記第１実施形態で述べたように、振分部５２にて、複数の候補のうち、優先順位情報４８で優先順位が最も高い受託先ＩＤの読影受託先１２を振分先として決定する。振分先の決定後の処理は上記第１実施形態と同一であるため説明を省略する。
【０１４９】
充足率情報１００を振分条件として、振分先の候補を検索するので、特定の読影受託先１２に読影依頼１５の振分が偏って、特定の読影受託先１２に過大な負荷が掛かることがなく、各読影受託先１２に読影依頼１５を均等に振り分けることができる。
【０１５０】
なお、読影可能な医療検査の件数、および読影可能な医用画像の枚数の両方を振分条件とした場合を説明しているが、これらのうちの少なくとも１つが振分条件であった場合は、充足率は件数充足率ＳＮまたは枚数充足率ＳＣとなる。また、希望受託先情報４７ａ、希望依頼元情報４７ｂ、および時間帯・件数・枚数情報８５に基づいて検索した、振分先の候補が複数ある場合に、充足率情報１００に基づいて候補をさらに絞り込む例を説明したが、時間帯・件数・枚数情報８５に基づく候補の絞り込みと、充足率情報１００に基づく候補の絞り込みの順番を逆にしてもよい。さらに、希望受託先情報４７ａ、希望依頼元情報４７ｂ、および時間帯・件数・枚数情報８５に基づいて検索した、振分先の候補が複数ある場合に、充足率が最も低い受託先ＩＤの読影受託先１２を、振分部５２が振分先と決定してもよい。
【０１５１】
なお、上記のように１日単位で読影可能な医療検査の件数ＳＮｂ、および読影可能な医用画像の枚数ＳＣｂを導出する代わりに、センターサーバ２０で読影依頼１５の振り分けを開始した時刻から現在時刻までの読影可能な医療検査の件数ＳＮｂ、および読影可能な医用画像の枚数ＳＣｂ等、時間単位で読影可能な医療検査の件数ＳＮｂ、および読影可能な医用画像の枚数ＳＣｂを導出してもよく、週単位で導出してもよい。また、充足率算出部１０６の機能を、振分条件設定部５３に担わせてもよい。
【０１５２】
［第６実施形態］
上記各実施形態では、振分先の候補が複数ある場合、優先順位、あるいは充足率に基づいて、振分先を決定しているが、振分先の決定を読影依頼元１１の選択に委ねてもよい。
【０１５３】
図２８において、本実施形態のデータセンター２０のＣＰＵ１３５には、上記第１実施形態の各部５０〜５４（振分部５２以外は不図示）に加えて、選択通知出力部１３６が構築される。振分部５２は、検索部５１から複数の振分先の候補を受け取った場合、複数の振分先の候補の情報を選択通知出力部１３６に出力する。選択通知出力部１３６は、読影依頼１５をした読影依頼元１１の依頼元端末１８のＩＰアドレスと、読影依頼１５をした読影依頼元１１に対して、複数の振分先の候補の中から振分先を選択させるための選択通知ウィンドウ１３７（図２９も参照）とを通信部３３に出力する。これにより、選択通知ウィンドウ１３７が通信部３３から読影受託先１５をした読影依頼元１１の依頼元端末１８に送信される。依頼元端末１８は、通信部３３からの選択通知ウィンドウ１３７をディスプレイに表示する。
【０１５４】
図２９において、選択通知ウィンドウ１３７には、振分先の候補が複数あり、その中から所望の読影受託先１２の選択を促すメッセージが表示され、候補表示領域１３８、ＯＫボタン１３９、およびキャンセルボタン１４０が設けられている。
【０１５５】
候補表示領域１３８には、検索部５１で検索した複数候補の読影受託先１２の施設名が表示され、複数の施設名の中から一つの施設名を選択するためのラジオボタン１４１が設けられている。候補表示領域１３８には、複数候補の読影受託先１２の施設名とラジオボタン１４１の一部が表示され、必要に応じて表示領域をスクロールバーで上下に移動させることが可能である。
【０１５６】
読影依頼元１１の主治医は、選択通知ウィンドウ１３７を依頼元端末１８のディスプレイで確認し、候補表示領域１３８の複数候補の読影受託先１２の施設名の中から、最終的に読影依頼１５を振り分ける読影受託先１２の施設名のラジオボタン１４１を選択してＯＫボタン１３９を選択する。一方、候補表示領域１３８の複数候補の読影受託先１２の全てが希望に沿わない場合はキャンセルボタン１４０を選択する。
【０１５７】
振分部５２は、ラジオボタン１４１、ＯＫボタン１３９、およびキャンセルボタン１４０の操作指示を受け付ける。ＯＫボタン１３９の操作指示を受け付けた場合は、ラジオボタン１４１で選択された読影受託先１２の受託先端末１９に、読影依頼１５が送信される。一方、キャンセルボタン１４０の操作指示を振分部５２で受け付けた場合、検索部５１は、選択通知ウィンドウ１３７で通知した振分先を候補から外したうえで、再度振分先の候補を検索する。また、選択通知出力部１３６は、再検索でも検索部５１が振分先の候補を複数ピックアップした場合、選択通知ウィンドウ１３７を再度通信部３３に出力し、通信部３３は選択通知ウィンドウ１３７を依頼元端末１８に送信する。この再検索と選択通知ウィンドウ１３７の再送信は、主治医によりＯＫボタン１３９が選択されるまで続けられる。
【０１５８】
選択通知ウィンドウ１３７を確認することで、主治医は振分先の候補が分かり、複数の振分先の候補の中から自分が所望する読影受託先１２を選択することができる。また、希望に沿わない場合はキャンセルボタン１４０を選択して再検索を行わせることができる。したがって、より読影依頼元１１の希望に沿った読影依頼１５の振分が可能となる。
【０１５９】
なお、選択通知の方法としては、選択通知ウィンドウ１３７に加えて、あるいは代えて、電子メールを用いてもよい。
【０１６０】
［第７実施形態］
上記各実施形態では、検索部５１および振分部５２で振分先の候補を自動的に検索して振分先を決定しているが、データセンター１０の立ち上げ当初で振分条件の設定が進んでおらず、振分先の候補の検索、および振分先の決定が不可能な場合や、読影受託先１２が災害等で急に読影依頼１５の受託ができなくなった場合等のアクシデントに迅速に対処することができるよう、データセンター１０の管理担当者が振分先を手動で決定したい場合もある。
【０１６１】
そこで、本実施形態では、データセンター１０の管理担当者が振分先を手動で決定したい場合に応えるため、自動的に検索部５１が振分先の候補を検索して振分部５２が振分先を決定するか、振分先を手動で決定するかの自動／手動振分の切替指示に応じて、自動／手動振分の切替を行う。
【０１６２】
図３０に示すように、本実施形態のデータセンター２０のＣＰＵ１４５には、上記第１実施形態の各部５０〜５４（検索部５１、振分部５２以外は不図示）に加えて、自動／手動振分切替部１４６が構築される。自動／手動振分切替部１４６は、入力デバイス３５からの操作指示に応じて、自動／手動振分切替ウィンドウ１４７（図３１も参照）をディスプレイ３４に出力する。自動／手動振分切替部１４６は、自動／手動振分切替ウィンドウ１４７を通じて、入力デバイス３５からの自動／手動振分の切替指示１４８を受け付ける。
【０１６３】
自動／手動振分切替部１４６は、自動／手動振分の切替指示１４８を受け付けた場合、自動／手動振分の切替通知を検索部５１および振分部５２に出力する。自動振分の切替通知を自動／手動振分切替部１４６から受け付けた場合、検索部５１および振分部５２は、上記各実施形態で示したように、自動的に振分先の候補を検索して振分先を決定する。一方、手動振分の切替通知を自動／手動振分切替部１４６から受け付けた場合は、検索部５１および振分部５２は振分先の候補の検索および振分先の決定を行わない。
【０１６４】
自動／手動振分切替部１４６は、手動振分の切替指示を受け付けた場合、手動振分ウィンドウ１４９（図３２も参照）をディスプレイ３４に出力する。自動／手動振分切替部１４６は、手動振分ウィンドウ１４９を通じて、入力デバイス３５からの振分先選択指示１５０を受け付ける。自動／手動振分切替部１４６は、振分先選択指示１５０で選択された振分先の情報を振分部５２に出力する。振分部５２は、自動／手動振分切替部１４６から受け取った振分先の受託先端末１９のＩＰアドレスと読影依頼１５とを通信部３３に出力し、通信部３３は振分部５２から受け取ったＩＰアドレスの受託先端末１９に読影依頼１５を送信する。
【０１６５】
図３１において、自動／手動振分切替ウィンドウ１４７には、自動／手動振分を選択するためのラジオボタン１５１、ＯＫボタン１５２、およびキャンセルボタン１５３が設けられている。自動／手動振分の設定は、初期設定は自動振分となっている。
【０１６６】
ＯＫボタン１５２を選択した場合、そのときのラジオボタン１５１の選択状態に応じて、自動／手動振分が切り替わる。キャンセルボタン１５３を選択した場合は、自動／手動振分切替ウィンドウ１４７の表示以前の自動／手動振分の設定が維持される。
【０１６７】
図３２において、手動振分ウィンドウ１４９には、リスト表示領域１５４、ＯＫボタン１５５、およびキャンセルボタン１５６が設けられている。手動振分の切替指示を受け付けた時点で、依頼レコードリスト４５の振分ステータスの項目が「未了」である読影依頼１５が自動／手動振分切替部１４６によりピックアップされ、リスト表示領域１５４にリスト表示される。リスト表示領域１５４には振分ステータスの項目が「未了」の読影依頼１５の一部が表示され、必要に応じて表示領域をスクロールバーで上下に移動させることが可能である。
【０１６８】
リスト表示領域１５４は概要表示領域１５７と振分先選択領域１５８とで構成される。概要表示領域１５７には、読影依頼元１１の施設名、検査日時、患者名、検査種、撮影部位、読影対象の医用画像の枚数といった、依頼レコードリスト４５から得られる読影依頼１５の概要が表示される。振分先選択領域１５８には、振分先を手動で選択するためのプルダウンメニュー１５９が設けられる。このプルダウンメニュー１５９によって、振分先選択指示１５０が入力される。プルダウンメニュー１５９には、施設情報４６に登録された読影受託先１２の全施設名が選択肢として表示される。図３２では、リスト表示領域１５４の一番上の読影依頼１５の振分先として「読影センターＡ」が選択され、他の読影依頼１５は振分先が未選択の状態を示している。
【０１６９】
ＯＫボタン１５５を選択した場合、そのときのプルダウンメニュー１５９の選択状態に応じて振分先が決定される。キャンセルボタン１５６を選択した場合は、手動振分が中止される。
【０１７０】
読影依頼１５の振分先の候補の検索、および振分先の決定を自動と手動で切り替えるので、データセンター１０の管理担当者が振分先を手動で決定したい場合に応えることができる。
【０１７１】
なお、読影依頼元１１毎、撮影部位毎、検査種毎、時間帯毎、あるいは読影依頼１５毎等、細かな項目毎に自動／手動振分の切替設定が可能な構成としてもよい。また、読影依頼元１１で自動／手動振分の切替指示を行ってもよい。例えば、読影依頼１５毎に読影依頼元１１が自動／手動振分の切替指示をする場合は、読影依頼元１１が読影依頼１５とともに自動／手動振分の設定情報をセンターサーバ２０に送信し、この自動／手動振分の設定情報を自動／手動振分切替部１４６で受け付ける。
【０１７２】
あるいは、自動／手動振分切替部１４６が図３３に示す自動／手動振分個別設定ウィンドウ１６５をディスプレイ３４に出力してもよい。自動／手動振分個別設定ウィンドウ１６５は、依頼レコードリスト４５の振分ステータスの項目が「未了」の読影依頼１５を、リスト表示領域１５４のようにリスト表示し、各読影依頼１５の横に自動／手動振分の切替指示をするためのチェックボックス１６６を設け、チェックボックス１６６を選択した読影依頼１５（２、３段目の読影依頼１５）は自動振分、選択していない読影依頼１５（１、４段目の読影依頼１５）は手動振分とし、手動振分とした読影依頼１５については、振分先選択領域１５８のようなプルダウンメニュー１６７を設け、このプルダウンメニュー１６７による振分先選択指示１５０を受け付けてもよい。なお、ＯＫボタン１６８およびキャンセルボタン１６９は、手動振分ウィンドウ１４９のＯＫボタン１５５およびキャンセルボタン１５６と同じ機能である。
【０１７３】
［第８実施形態］
上記第７実施形態は、自動的に振分先の候補を検索部５１で検索して振分先を振分部５２で決定するか、振分先を手動で決定するかを切り替えるものであったが、本実施形態では、振分先の候補の検索および振分先の決定は検索部５１および振分部５２で自動的に行い、振分部５２が決定した振分先を、データセンター１０の管理担当者が手動により変更可能に構成する。
【０１７４】
図３４に示すように、本実施形態のデータセンター２０のＣＰＵ１７５には、上記第１実施形態の各部５０〜５４（振分部５２以外は不図示）に加えて、振分先変更部１７６が構築される。振分先変更部１７６は、振分部５２から決定した振分先の情報を受け取り、入力デバイス３５からの操作指示に応じて、振分部５２で決定した振分先を示す振分結果を表示し、かつその振分結果を変更するための振分結果表示／変更ウィンドウ１７７（図３５も参照）をディスプレイ３４に出力する。振分先変更部１７６は、振分結果表示／変更ウィンドウ１７７を通じて、入力デバイス３５からの振分先の変更指示１７８を受け付ける。
【０１７５】
振分先変更部１７６は、振分先の変更指示１７８を受け付けた場合、振分先の変更通知を振分部５２に出力する。振分部５２は、振分先の変更指示１７８で指示された振分先の受託先端末１９のＩＰアドレスと読影依頼１５とを通信部３３に出力し、通信部３３は振分部５２から受け取ったＩＰアドレスの受託先端末１９に読影依頼１５を送信する。
【０１７６】
図３５において、振分結果表示／変更ウィンドウ１７７には、手動振分ウィンドウ１４９と同様のリスト表示領域１７９、ＯＫボタン１８０、およびキャンセルボタン１８１が設けられ、さらに変更ボタン１８２が設けられている。リスト表示領域１７９には、振分部５２で振分先が決定された読影依頼１５が表示される。リスト表示領域１７９には読影依頼１５の一部が表示され、必要に応じて表示領域をスクロールバーで上下に移動させることが可能である。
【０１７７】
リスト表示領域１７９は、リスト表示領域１５４の概要表示領域１５７と同様の概要表示領域１８３と、振分結果表示領域１８４とで構成される。振分結果表示領域１８４には、振分部５２で決定した振分先の施設名が表示される。
【０１７８】
変更ボタン１８２を選択した場合、図３６に示すように、振分結果表示領域１８４には、手動振分ウィンドウ１４９の振分先選択領域１５８のように、振分部５２で決定した振分先を変更するためのプルダウンメニュー１８５が設けられる。このプルダウンメニュー１８５によって、振分先の変更指示１７８が入力される。振分部５２が振分先を決定する過程で、検索部５１が振分先の候補を複数ピックアップした場合、プルダウンメニュー１８５には、複数の振分先の候補の施設名が選択肢として表示される。プルダウンメニュー１８５の選択肢としては、施設情報４６に登録された読影受託先１２の全施設名としてもよい。
【０１７９】
変更ボタン１８２を選択してプルダウンメニュー１８５を表示させ、プルダウンメニュー１８５で所望の読影受託先１２を選択し、ＯＫボタン１８０を選択した場合、そのときのプルダウンメニュー１８５の選択状態に応じて、振分先が変更される。キャンセルボタン１８１を選択した場合は、振分先の変更が中止される。
【０１８０】
振分結果表示／変更ウィンドウ１７７を表示した時点では、受託先端末１９への読影依頼１５の送信は完了しておらず、振分結果表示領域１８４に表示された読影受託先１２は、いわば仮決定の状態である。ＯＫボタン１８０を選択したときにはじめて振分結果表示領域１８４に表示された読影受託先１２が振分先として確定される。
【０１８１】
振分部５２の振分結果を表示し、その変更指示を受け付けるので、データセンター１０の管理担当者は振分結果を確認することができ、かつ振分先を簡単に変更することができる。
【０１８２】
なお、振分結果表示領域１８４に、上記第３、第５実施形態の振分実績や、上記第５実施形態の充足率等の振分の手助けとなる他の情報を表示してもよい。
【０１８３】
振分条件としては、上記各実施形態で例示したもの以外に、例えば、読影依頼元１１または患者による読影受託先１２の評価点や、過去の読影とその読影を担当した読影受託先を特定可能な読影履歴情報等を用いてもよい。評価点を振分条件とした場合、検索部５１は、振分先の候補として、評価点が基準点以上の読影受託先１２をピックアップしたり、評価点が基準点より低い読影受託先１２を候補から除外したりする。読影履歴情報を振分条件とした場合、検索部５１は、過去に読影を担当した読影受託先１２を優先してピックアップする。
【０１８４】
なお、大学附属や医師会附属といった系列関係の項目を施設情報４６に設け、希望設定ウィンドウ５３で系列関係にある読影依頼元１１や読影受託先１２の希望設定を「ＮＧ」と設定した場合、逆に系列関係にない読影依頼元１１や読影受託先１２の希望設定を「ＯＫ」と設定した場合、あるいは、優先順位設定ウィンドウ５５で系列関係にある読影受託先１２の優先順位を系列関係にない読影受託先１２よりも低く設定した場合、逆に系列関係にない読影受託先１２の優先順位を系列関係にある読影受託先１２よりも高く設定した場合に、上記第２、第４実施形態の警告通知ウィンドウ８３のように、設定が正しいかどうか確認するための警告通知ウィンドウを表示してもよい。また、営業時間の項目を施設情報４６に設け、時間帯・件数・枚数設定ウィンドウ８６で営業時間外の時間帯を設定した場合に、同様に警告通知ウィンドウを表示してもよい。
【０１８５】
上記各実施形態では、読影受託先１２を読影センター等の医療施設としているが、読影医個人を読影受託先１２としてもよい。この場合は施設情報４６の医師情報に、氏名に加えて年齢、専門分野、勤続年数といった読影医のより詳しい情報を格納しておき、これらを必要に応じて振分条件として活用する。また、この場合、希望設定や時間帯・件数・枚数、優先順位の設定対象は各読影医となり、振分実績や充足率の算出は各読影医に対して行われる。さらに、手動振分ウィンドウ１４９の手動振分対象、および振分結果表示／変更ウィンドウ１７７の振分結果の変更対象も、図３７の振分結果表示／変更ウィンドウ１９０で例示するように、読影センター等の医療施設ではなく、各読影医となる。
【０１８６】
図３７において、振分結果表示／変更ウィンドウ１９０は、リスト表示領域１９１、ＯＫボタン１９２、キャンセルボタン１９３、および変更ボタン１９４が設けられ、振分結果表示／変更ウィンドウ１７７と基本的な構成は同じであるが、振分結果表示領域１９６に、読影受託先１２の振分結果として読影医の氏名と、その所属施設が表示されている点で異なる。図３７では、変更ボタン１９４を選択して、振分部５２で決定した読影医を変更するためのプルダウンメニュー１９７を表示した状態を示している。この場合、プルダウンメニュー１９７には、検索部５１で検索した複数候補の読影医の氏名が選択肢として表示される。プルダウンメニュー１９７の選択肢を全読影医の氏名としてもよい。所属施設は、プルダウンメニュー１９７で選択した読影医に応じて表示が自動的に切り替わる。なお、読影受託先１２と同様に、読影依頼元１１も主治医個人としてもよい。
【０１８７】
手動振分ウィンドウ１４９、自動／手動振分個別設定ウィンドウ１６５、振分結果表示／変更ウィンドウ１７７、１９０を依頼元端末１８に送信し、依頼元端末１８のディスプレイ３４に表示して、主治医が振分先選択指示１５０や振分先の変更指示１７８を入力可能に構成してもよい。
【０１８８】
なお、モダリティ１７による画像ファイル１４の送信タイミングが、依頼元端末１８による読影依頼１５の送信タイミングよりも後になることがある。このような画像ファイル１４が未達の読影依頼１５については、振分先の検索、決定を一旦保留し、モダリティ１７から画像ファイル１４が送信されて画像ＤＢ４０に格納されてから振分先の検索、決定を行う。
【０１８９】
上記各実施形態では、センターサーバ２０を構成する１台のコンピュータを読影依頼振分装置として機能させているが、読影依頼振分装置の各機能を、複数台のコンピュータに分散させてもよい。
【０１９０】
上記各実施形態は、単独で実施してもよいし、複合して実施してもよい。
【符号の説明】
【０１９１】
１０  データセンター
１１  読影依頼元
１２  読影受託先
１５  読影依頼
１６  読影レポート
２０  センターサーバ（読影依頼振分装置）
３０  ストレージデバイス
３２、８０、１０５、１３５、１４５、１７５  ＣＰＵ
３７  読影依頼振分プログラム
４４  振分条件ＤＢ
４７ａ  希望受託先情報
４７ｂ  希望依頼元情報
４８  優先順位情報
５０  読影依頼受付部
５１  検索部
５２  振分部
５３  振分条件設定部
５４  転送処理部
８１  判定部
８２  警告通知出力部
８３  警告通知ウィンドウ
８５  時間帯・件数・枚数情報
１００  充足率情報
１０６  充足率算出部
１３６  選択通知出力部
１３７  選択通知ウィンドウ
１４６  自動／手動振分切替部
１７６  振分先変更部
【図１】
2016071713.tif 000003
【図２】
2016071713.tif 000004
【図３】
2016071713.tif 000005
【図４】
2016071713.tif 000006
【図５】
2016071713.tif 000007
【図６】
2016071713.tif 000008
【図７】
2016071713.tif 000009
【図８】
2016071713.tif 000010
【図９】
2016071713.tif 000011
【図１０】
2016071713.tif 000012
【図１１】
2016071713.tif 000013
【図１２】
2016071713.tif 000014
【図１３】
2016071713.tif 000015
【図１４】
2016071713.tif 000016
【図１５】
2016071713.tif 000017
【図１６】
2016071713.tif 000018
【図１７】
2016071713.tif 000019
【図１８】
2016071713.tif 000020
【図１９】
2016071713.tif 000021
【図２０】
2016071713.tif 000022
【図２１】
2016071713.tif 000023
【図２２】
2016071713.tif 000024
【図２３】
2016071713.tif 000025
【図２４】
2016071713.tif 000026
【図２５】
2016071713.tif 000027
【図２６】
2016071713.tif 000028
【図２７】
2016071713.tif 000029
【図２８】
2016071713.tif 000030
【図２９】
2016071713.tif 000031
【図３０】
2016071713.tif 000032
【図３１】
2016071713.tif 000033
【図３２】
2016071713.tif 000034
【図３３】
2016071713.tif 000035
【図３４】
2016071713.tif 000036
【図３５】
2016071713.tif 000037
【図３６】
2016071713.tif 000038
【図３７】
2016071713.tif 000039